(57)【要約】【課題】計測速度を向上した場合でもＯＣＴＡの検出感度の低下を防止することが可能な眼科装置、及びその制御方法を提供する。【解決手段】眼科装置は、変更可能な計測速度で被検眼の同一部位に対してＯＣＴ計測を繰り返し実行するＯＣＴ計測部と、被検眼の第１計測部位に対してＯＣＴ計測部により第１計測速度でＯＣＴ計測を繰り返すことにより得られた複数の計測結果に基づいて第１モーションコントラストデータを生成する第１データ生成部と、第１モーションコントラストデータに基づいて被検眼の第２計測部位を指定するための部位指定部と、部位指定部により指定された第２計測部位に対してＯＣＴ計測部により第２計測速度でＯＣＴ計測を繰り返すことにより得られた複数の計測結果に基づいて第２モーションコントラストデータを生成する第２データ生成部と、を含む。【選択図】図４
2020039560.tif 000002
【特許請求の範囲】
【請求項１】
変更可能な計測速度で被検眼の同一部位に対してＯＣＴ計測を繰り返し実行するＯＣＴ計測部と、
前記被検眼の第１計測部位に対して前記ＯＣＴ計測部により第１計測速度でＯＣＴ計測を繰り返すことにより得られた複数の計測結果に基づいて第１モーションコントラストデータを生成する第１データ生成部と、
前記第１モーションコントラストデータに基づいて前記被検眼の第２計測部位を指定するための部位指定部と、
前記部位指定部により指定された前記第２計測部位に対して前記ＯＣＴ計測部により第２計測速度でＯＣＴ計測を繰り返すことにより得られた複数の計測結果に基づいて第２モーションコントラストデータを生成する第２データ生成部と、
を含む眼科装置。
【請求項２】
操作部を含み、
前記部位指定部は、前記操作部を用いて指定された部位を前記第２計測部位として指定する
ことを特徴とする請求項１に記載の眼科装置。
【請求項３】
前記被検眼の正面画像を解析することにより再計測すべき部位を特定する解析部を含み、
前記部位指定部は、前記解析部により特定された部位を前記第２計測部位として指定する
ことを特徴とする請求項１に記載の眼科装置。
【請求項４】
前記第１モーションコントラストデータを解析することにより再計測すべき部位を特定する解析部を含み、
前記部位指定部は、前記解析部により特定された部位を前記第２計測部位として指定する
ことを特徴とする請求項１に記載の眼科装置。
【請求項５】
前記第１モーションコントラストデータに基づいて第１ＯＣＴＡ像を形成するＯＣＴＡ像形成部を含み、
前記解析部は、前記第１ＯＣＴＡ像において空間周波数が所定の閾値以下の領域に相当する部位を前記再計測すべき部位として特定する
ことを特徴とする請求項４に記載の眼科装置。
【請求項６】
前記ＯＣＴＡ像形成部は、前記第１モーションコントラストデータの振幅情報に基づいて強度画像を形成すると共に、前記第１モーションコントラストデータの位相情報に基づいて位相画像を形成し、
前記解析部は、前記強度画像及び前記位相画像に基づいて前記再計測すべき部位を特定する
ことを特徴とする請求項５に記載の眼科装置。
【請求項７】
前記第１モーションコントラストデータに基づいて第１ＯＣＴＡ像を形成し、前記第２モーションコントラストデータに基づいて第２ＯＣＴＡ像を形成するＯＣＴＡ像形成部と、
前記第１ＯＣＴＡ像と前記第２ＯＣＴＡ像とを表示手段の同一画面に表示させる表示制御部と、
を含む
ことを特徴とする請求項１〜請求項４のいずれか一項に記載の眼科装置。
【請求項８】
前記ＯＣＴ計測部は、波長掃引速度が変更可能な波長掃引光源からの光を測定光と参照光とに分割し、前記被検眼に前記測定光を照射し、前記被検眼からの前記測定光の戻り光と前記参照光との干渉光を検出する干渉光学系を含み、
前記波長掃引速度を変更することにより前記ＯＣＴ計測の計測速度を変更する制御部を含む
ことを特徴とする請求項１〜請求項７のいずれか一項に記載の眼科装置。
【請求項９】
前記第２計測部位は、前記第１計測部位の一部の部位である
ことを特徴とする請求項１〜請求項８のいずれか一項に記載の眼科装置。
【請求項１０】
前記第２計測速度は、前記第１計測速度より低速である
ことを特徴とする請求項１〜請求項９のいずれか一項に記載の眼科装置。
【請求項１１】
被検眼の第１計測部位に対して第１計測速度でＯＣＴ計測を繰り返し実行する第１計測ステップと、
前記第１計測ステップにおいて取得された複数の計測結果に基づいて第１モーションコントラストデータを生成する第１データ生成ステップと、
前記第１データ生成ステップにおいて生成された前記第１モーションコントラストデータに基づいて前記被検眼の第２計測部位を指定するための部位指定ステップと、
前記部位指定ステップにおいて指定された前記第２計測部位に対して第２計測速度でＯＣＴ計測を繰り返し実行する第２計測ステップと、
前記第２計測ステップにおいて取得された複数の計測結果に基づいて第２モーションコントラストデータを生成する第２データ生成ステップと、
を含む眼科装置の制御方法。
【請求項１２】
前記部位指定ステップは、操作部を用いて指定された部位を前記第２計測部位として指定する
ことを特徴とする請求項１１に記載の眼科装置の制御方法。
【請求項１３】
前記被検眼の正面画像を解析することにより再計測すべき部位を特定する解析ステップを含み、
前記部位指定ステップは、前記解析ステップにおいて特定された部位を前記第２計測部位として指定する
ことを特徴とする請求項１１に記載の眼科装置の制御方法。
【請求項１４】
前記第１モーションコントラストデータを解析することにより再計測すべき部位を特定する解析ステップを含み、
前記部位指定ステップは、前記解析ステップにおいて特定された部位を前記第２計測部位として指定する
ことを特徴とする請求項１１に記載の眼科装置の制御方法。
【請求項１５】
前記第１モーションコントラストデータに基づいて第１ＯＣＴＡ像を形成するＯＣＴＡ像形成ステップを含み、
前記解析ステップは、前記第１ＯＣＴＡ像において空間周波数が所定の閾値以下の領域に相当する部位を前記再計測すべき部位として特定する
ことを特徴とする請求項１４に記載の眼科装置の制御方法。
【請求項１６】
前記ＯＣＴＡ像形成ステップは、前記第１モーションコントラストデータの振幅情報に基づいて強度画像を形成すると共に、前記第１モーションコントラストデータの位相情報に基づいて位相画像を形成し、
前記解析ステップは、前記強度画像及び前記位相画像に基づいて前記再計測すべき部位を特定する
ことを特徴とする請求項１５に記載の眼科装置の制御方法。
【請求項１７】
前記第１モーションコントラストデータに基づいて第１ＯＣＴＡ像を形成し、前記第２モーションコントラストデータに基づいて第２ＯＣＴＡ像を形成するＯＣＴＡ像形成ステップと、
前記第１ＯＣＴＡ像と前記第２ＯＣＴＡ像とを表示手段の同一画面に表示させる表示制御ステップと、
を含む
ことを特徴とする請求項１１〜請求項１４のいずれか一項に記載の眼科装置の制御方法。
【請求項１８】
前記第１計測ステップ及び前記第２計測ステップは、波長掃引速度が変更可能な波長掃引光源からの光を測定光と参照光とに分割し、前記被検眼に前記測定光を照射し、前記被検眼からの前記測定光の戻り光を前記参照光との干渉光を検出し、
前記第２計測ステップは、前記波長掃引速度を変更することにより前記ＯＣＴ計測の計測速度を変更する
ことを特徴とする請求項１１〜請求項１７のいずれか一項に記載の眼科装置の制御方法。
【発明の詳細な説明】
【技術分野】
【０００１】
この発明は、眼科装置、及びその制御方法に関する。
【背景技術】
【０００２】
近年、レーザ光源等からの光ビームを用いて被測定物体の形態を測定したり画像化したりする光コヒーレンストモグラフィ（Ｏｐｔｉｃａｌ  Ｃｏｈｅｒｅｎｃｅ  Ｔｏｍｏｇｒａｐｈｙ：ＯＣＴ）が注目を集めている。ＯＣＴは、Ｘ線ＣＴ（Ｃｏｍｐｕｔｅｄ  Ｔｏｍｏｇｒａｐｈｙ）のような人体に対する侵襲性を持たないことから、特に医療分野や生物学分野における応用の展開が期待されている。例えば、眼科分野においては、眼底や角膜等の画像を形成する装置が実用化されている。このようなＯＣＴを用いた装置（ＯＣＴ装置）は被検眼の様々な部位（眼底や前眼部）の計測や観察に適用可能である。また、高精細な画像を取得できることから、様々な眼科疾患の診断に応用されている。
【０００３】
被検眼に対してＯＣＴ計測を行う場合、固視ずれの影響等を低減するために計測速度（Ａスキャン速度）の高速化が望まれている。ＯＣＴ計測の計測速度の高速化は、高精度なＯＣＴ計測結果の取得に有効である。
【０００４】
一方、造影剤を用いることなく、ＯＣＴを用いて血流を描出する手法が提案されている。この手法は、ＯＣＴアンギオグラフィ（ＯＣＴ  Ａｎｇｉｏｇｒａｐｈｙ：ＯＣＴＡ）と呼ばれる。ＯＣＴＡでは、被検眼（例えば、眼底）の同一部位に対してＯＣＴ計測を繰り返し実行することにより得られた計測結果間の強度変化又は位相変化が検出される。例えば、特許文献１及び非特許文献１には、ＯＣＴＡを用いて血管の位置が描出された血管造影画像を取得する手法が開示されている。
【先行技術文献】
【特許文献】
【０００５】
【特許文献１】特開２０１５−１３１１０７号公報
【非特許文献】
【０００６】
【非特許文献１】Ａｎｑｉ  Ｚｈａｎｇ  ｅｔ  ａｌ．，  “Ｍｅｔｈｏｄｓ  ａｎｄ  ａｌｇｏｒｉｔｈｍｓ  ｆｏｒ  ｏｐｔｉｃａｌ  ｃｏｈｅｒｅｎｃｅ  ｔｏｍｏｇｒａｐｈｙ−ｂａｓｅｄ  ａｎｇｉｏｇｒａｐｈｙ：ａ  ｒｅｖｉｅｗ  ａｎｄ  ｃｏｍｐｒｉｓｏｎ”，  Ｊｏｕｒｎａｌ  ｏｆ  Ｂｉｏｍｅｄｉｃａｌ  Ｏｐｔｉｃｓ，米国，２０１５年１０月，  Ｖｏｌ．２０（１０），  ｐｐ．１００９０１−１〜１００９０１−１３
【発明の概要】
【発明が解決しようとする課題】
【０００７】
しかしながら、計測速度（Ａスキャン速度）の高速化は、検出される干渉信号の感度の低下を招き、高精度なＯＣＴ計測結果の取得が困難になる。特に、ＯＣＴＡでは、同一部位に対して実行されるＯＣＴ計測の時間間隔が短くなり、計測結果間の強度変化等が小さくなる。従って、低速な血流に対する検出感度が低下することが考えられる。
【０００８】
本発明は、このような事情を鑑みてなされたものであり、その目的は、計測速度を向上した場合でもＯＣＴＡの検出感度の低下を防止することが可能な眼科装置、及びその制御方法を提供することにある。
【課題を解決するための手段】
【０００９】
いくつかの実施形態の第１態様は、変更可能な計測速度で被検眼の同一部位に対してＯＣＴ計測を繰り返し実行するＯＣＴ計測部と、前記被検眼の第１計測部位に対して前記ＯＣＴ計測部により第１計測速度でＯＣＴ計測を繰り返すことにより得られた複数の計測結果に基づいて第１モーションコントラストデータを生成する第１データ生成部と、前記第１モーションコントラストデータに基づいて前記被検眼の第２計測部位を指定するための部位指定部と、前記部位指定部により指定された前記第２計測部位に対して前記ＯＣＴ計測部により第２計測速度でＯＣＴ計測を繰り返すことにより得られた複数の計測結果に基づいて第２モーションコントラストデータを生成する第２データ生成部と、を含む眼科装置である。
【００１０】
いくつかの実施形態の第２態様は、第１態様において、操作部を含み、前記部位指定部は、前記操作部を用いて指定された部位を前記第２計測部位として指定する。
【００１１】
いくつかの実施形態の第３態様は、第１態様において、前記被検眼の正面画像を解析することにより再計測すべき部位を特定する解析部を含み、前記部位指定部は、前記解析部により特定された部位を前記第２計測部位として指定する。
【００１２】
いくつかの実施形態の第４態様は、第１態様において、前記第１モーションコントラストデータを解析することにより再計測すべき部位を特定する解析部を含み、前記部位指定部は、前記解析部により特定された部位を前記第２計測部位として指定する。
【００１３】
いくつかの実施形態の第５態様は、第４態様において、前記第１モーションコントラストデータに基づいて第１ＯＣＴＡ像を形成するＯＣＴＡ像形成部を含み、前記解析部は、前記第１ＯＣＴＡ像において空間周波数が所定の閾値以下の領域に相当する部位を前記再計測すべき部位として特定する。
【００１４】
いくつかの実施形態の第６態様では、第５態様において、前記ＯＣＴＡ像形成部は、前記第１モーションコントラストデータの振幅情報に基づいて強度画像を形成すると共に、前記第１モーションコントラストデータの位相情報に基づいて位相画像を形成し、前記解析部は、前記強度画像及び前記位相画像に基づいて前記再計測すべき部位を特定する。
【００１５】
いくつかの実施形態の第７態様は、第１態様〜第４態様のいずれかにおいて、前記第１モーションコントラストデータに基づいて第１ＯＣＴＡ像を形成し、前記第２モーションコントラストデータに基づいて第２ＯＣＴＡ像を形成するＯＣＴＡ像形成部と、前記第１ＯＣＴＡ像と前記第２ＯＣＴＡ像とを表示手段の同一画面に表示させる表示制御部と、を含む。
【００１６】
いくつかの実施形態の第８態様では、第１態様〜第７態様のいずれかにおいて、前記ＯＣＴ計測部は、波長掃引速度が変更可能な波長掃引光源からの光を測定光と参照光とに分割し、前記被検眼に前記測定光を照射し、前記被検眼からの前記測定光の戻り光と前記参照光との干渉光を検出する干渉光学系を含み、前記波長掃引速度を変更することにより前記ＯＣＴ計測の計測速度を変更する制御部を含む。
【００１７】
いくつかの実施形態の第９態様では、第１態様〜第８態様のいずれかにおいて、前記第２計測部位は、前記第１計測部位の一部の部位である。
【００１８】
いくつかの実施形態の第１０態様では、第１態様〜第９態様のいずれかにおいて、前記第２計測速度は、前記第１計測速度より低速である。
【００１９】
いくつかの実施形態の第１１態様は、被検眼の第１計測部位に対して第１計測速度でＯＣＴ計測を繰り返し実行する第１計測ステップと、前記第１計測ステップにおいて取得された複数の計測結果に基づいて第１モーションコントラストデータを生成する第１データ生成ステップと、前記第１データ生成ステップにおいて生成された前記第１モーションコントラストデータに基づいて前記被検眼の第２計測部位を指定するための部位指定ステップと、前記部位指定ステップにおいて指定された前記第２計測部位に対して第２計測速度でＯＣＴ計測を繰り返し実行する第２計測ステップと、前記第２計測ステップにおいて取得された複数の計測結果に基づいて第２モーションコントラストデータを生成する第２データ生成ステップと、を含む眼科装置の制御方法である。
【００２０】
いくつかの実施形態の第１２態様では、第１１態様において、前記部位指定ステップは、操作部を用いて指定された部位を前記第２計測部位として指定する。
【００２１】
いくつかの実施形態の第１３態様は、第１１態様において、前記被検眼の正面画像を解析することにより再計測すべき部位を特定する解析ステップを含み、前記部位指定ステップは、前記解析ステップにおいて特定された部位を前記第２計測部位として指定する。
【００２２】
いくつかの実施形態の第１４態様は、第１１態様において、前記第１モーションコントラストデータを解析することにより再計測すべき部位を特定する解析ステップを含み、前記部位指定ステップは、前記解析ステップにおいて特定された部位を前記第２計測部位として指定する。
【００２３】
いくつかの実施形態の第１５態様は、第１４態様において、前記第１モーションコントラストデータに基づいて第１ＯＣＴＡ像を形成するＯＣＴＡ像形成ステップを含み、前記解析ステップは、前記第１ＯＣＴＡ像において空間周波数が所定の閾値以下の領域に相当する部位を前記再計測すべき部位として特定する。
【００２４】
いくつかの実施形態の第１６態様では、第１５態様において、前記ＯＣＴＡ像形成ステップは、前記第１モーションコントラストデータの振幅情報に基づいて強度画像を形成すると共に、前記第１モーションコントラストデータの位相情報に基づいて位相画像を形成し、前記解析ステップは、前記強度画像及び前記位相画像に基づいて前記再計測すべき部位を特定する。
【００２５】
いくつかの実施形態の第１７態様は、第１１態様〜第１４態様のいずれかにおいて、前記第１モーションコントラストデータに基づいて第１ＯＣＴＡ像を形成し、前記第２モーションコントラストデータに基づいて第２ＯＣＴＡ像を形成するＯＣＴＡ像形成ステップと、前記第１ＯＣＴＡ像と前記第２ＯＣＴＡ像とを表示手段の同一画面に表示させる表示制御ステップと、を含む。
【００２６】
いくつかの実施形態の第１８態様では、第１１態様〜第１７態様のいずれかにおいて、前記第１計測ステップ及び前記第２計測ステップは、波長掃引速度が変更可能な波長掃引光源からの光を測定光と参照光とに分割し、前記被検眼に前記測定光を照射し、前記被検眼からの前記測定光の戻り光を前記参照光との干渉光を検出し、前記第２計測ステップは、前記波長掃引速度を変更することにより前記ＯＣＴ計測の計測速度を変更する。
【発明の効果】
【００２７】
本発明によれば、計測速度を向上した場合でもＯＣＴＡの検出感度の低下を防止することが可能な眼科装置、及びその制御方法を提供することができるようになる。
【図面の簡単な説明】
【００２８】
【図１】実施形態に係る眼科装置の構成の一例を表す概略図である。
【図２】実施形態に係る眼科装置の構成の一例を表す概略図である。
【図３】実施形態に係る眼科装置の構成の一例を表す概略図である。
【図４】実施形態に係る眼科装置の構成の一例を表す概略ブロック図である。
【図５】実施形態に係る眼科装置の構成の一例を表す概略ブロック図である。
【図６】実施形態に係る眼科装置の動作例を表すフローチャートである。
【図７】実施形態に係る眼科装置が実行する処理を説明するための概略図である。
【図８】実施形態に係る眼科装置の動作例を表すフローチャートである。
【発明を実施するための形態】
【００２９】
この発明に係る眼科装置、及び眼科装置の制御方法の実施形態の例について、図面を参照しながら詳細に説明する。なお、この明細書において引用された文献の記載内容や任意の公知技術を、以下の実施形態に援用することが可能である。
【００３０】
この明細書では、ＯＣＴによって取得される画像をＯＣＴ画像と総称することがある。また、ＯＣＴ画像を形成するための計測動作をＯＣＴ計測と呼ぶことがある。
【００３１】
実施形態に係る眼科装置は、被検眼の略同一部位に対してＯＣＴ計測を繰り返し実行することにより複数のＯＣＴ計測結果を取得し、取得された複数のＯＣＴ計測結果からモーションコントラストデータを生成することが可能である。
【００３２】
また、実施形態に係る眼科装置は、ＯＣＴ計測における計測速度（Ａスキャン速度）を変更可能である。眼科装置は、第１計測速度でＯＣＴ計測を繰り返し実行することで生成されたモーションコントラストデータに基づいて被検眼における再計測部位を特定し、特定された再計測部位に対して第２計測速度でＯＣＴ計測を繰り返し実行することで新たなモーションコントラストデータを生成することが可能である。それにより、第１計測速度のＯＣＴ計測では検出できなかった強度変化等を第２計測速度のＯＣＴ計測で検出することが可能になる。
【００３３】
いくつかの実施形態に係る眼科装置は、眼科撮影装置と、眼科測定装置と、眼科治療装置とのうちのいずれか１つ以上を含む。いくつかの実施形態の眼科装置に含まれる眼科撮影装置は、例えば、眼底カメラ、走査型レーザ検眼鏡、スリットランプ検眼鏡、手術用顕微鏡等のうちのいずれか１つ以上である。また、いくつかの実施形態の眼科装置に含まれる眼科測定装置は、例えば、眼屈折検査装置、眼圧計、スペキュラーマイクロスコープ、ウェーブフロントアナライザ、視野計、マイクロペリメータ等のうちのいずれか１つ以上である。また、いくつかの実施形態の眼科装置に含まれる眼科治療装置は、例えば、レーザ治療装置、手術装置、手術用顕微鏡等のうちのいずれか１つ以上である。
【００３４】
以下の実施形態に係る眼科装置は、ＯＣＴ計測が可能なＯＣＴ装置と眼底カメラとを含む。また、以下の実施形態に係る構成を、単体のＯＣＴ装置に組み込むことも可能である。以下では、スウェプトソースＯＣＴが適用されるＯＣＴ装置を含む眼科装置について説明するが、ＯＣＴのタイプはこれに限定されず、他のタイプのＯＣＴ（スペクトラルドメインＯＣＴ、タイムドメインＯＣＴ、アンファスＯＣＴ等）が適用されてもよい。
【００３５】
また、以下では、主に、眼底に対してＯＣＴ計測が可能な眼科装置について説明する。しかしながら、前眼部に対してＯＣＴ計測が可能な眼科装置に対して以下の実施形態を適用することが可能である。いくつかの実施形態では、測定光の焦点位置を変更するレンズを移動することで、ＯＣＴ計測の範囲や計測部位を変更する。いくつかの実施形態では、１以上のアタッチメント（対物レンズ、前置レンズ等）を加えることで、眼底に対するＯＣＴ計測と、前眼部に対するＯＣＴ計測と、眼底及び前眼部を含む全眼球に対するＯＣＴ計測とが可能な構成を有する。いくつかの実施形態では、眼底計測用の眼科装置において、対物レンズと被検眼との間に前置レンズを配置することで平行光束にされた測定光を被検眼に入射させることで前眼部に対するＯＣＴ計測を行う。
【００３６】
＜構成＞
〔光学系〕
図１に示すように、眼科装置１は、眼底カメラユニット２、ＯＣＴユニット１００及び演算制御ユニット２００を含む。眼底カメラユニット２には、被検眼Ｅの正面画像を取得するための光学系や機構が設けられている。ＯＣＴユニット１００には、ＯＣＴを実行するための光学系や機構の一部が設けられている。ＯＣＴを実行するための光学系や機構の他の一部は、眼底カメラユニット２に設けられている。演算制御ユニット２００は、各種の演算や制御を実行する１以上のプロセッサを含む。これらに加え、被検者の顔を支持するための部材（顎受け、額当て等）や、ＯＣＴの対象部位を切り替えるためのレンズユニット（例えば、前眼部ＯＣＴ用アタッチメント）等の任意の要素やユニットが眼科装置１に設けられてもよい。いくつかの実施形態では、レンズユニットが手動で被検眼Ｅと後述の対物レンズ２２との間に挿脱されるように構成される。いくつかの実施形態では、後述の制御部２１０からの制御を受け、レンズユニットが被検眼Ｅと後述の対物レンズ２２との間に自動で挿脱されるように構成される。
【００３７】
本明細書において「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。プロセッサは、例えば、記憶回路や記憶装置に格納されているプログラムを読み出し実行することで、実施形態に係る機能を実現する。
【００３８】
［眼底カメラユニット］
眼底カメラユニット２には、被検眼Ｅの眼底Ｅｆを撮影するための光学系が設けられている。取得される眼底Ｅｆの画像（眼底像、眼底写真等と呼ばれる）は、観察画像、撮影画像等の正面画像である。観察画像は、近赤外光を用いた動画撮影により得られる。撮影画像は、フラッシュ光を用いた静止画像である。更に、眼底カメラユニット２は、被検眼Ｅの前眼部Ｅａを撮影して正面画像（前眼部像）を取得することができる。
【００３９】
眼底カメラユニット２は、照明光学系１０と撮影光学系３０とを含む。照明光学系１０は被検眼Ｅに照明光を照射する。撮影光学系３０は、被検眼Ｅからの照明光の戻り光を検出する。ＯＣＴユニット１００からの測定光は、眼底カメラユニット２内の光路を通じて被検眼Ｅに導かれ、その戻り光は、同じ光路を通じてＯＣＴユニット１００に導かれる。
【００４０】
照明光学系１０の観察光源１１から出力された光（観察照明光）は、曲面状の反射面を有する反射ミラー１２により反射され、集光レンズ１３を経由し、可視カットフィルタ１４を透過して近赤外光となる。更に、観察照明光は、撮影光源１５の近傍にて一旦集束し、ミラー１６により反射され、リレーレンズ１７、１８、絞り１９及びリレーレンズ２０を経由する。そして、観察照明光は、孔開きミラー２１の周辺部（孔部の周囲の領域）にて反射され、ダイクロイックミラー４６を透過し、対物レンズ２２により屈折されて被検眼Ｅ（眼底Ｅｆ又は前眼部Ｅａ）を照明する。被検眼Ｅからの観察照明光の戻り光は、対物レンズ２２により屈折され、ダイクロイックミラー４６を透過し、孔開きミラー２１の中心領域に形成された孔部を通過し、ダイクロイックミラー５５を透過する。ダイクロイックミラー５５を透過した戻り光は、撮影合焦レンズ３１を経由し、ミラー３２により反射される。更に、この戻り光は、ハーフミラー３３Ａを透過し、ダイクロイックミラー３３により反射され、集光レンズ３４によりイメージセンサ３５の受光面に結像される。イメージセンサ３５は、所定のフレームレートで戻り光を検出する。なお、撮影光学系３０のフォーカスは、眼底Ｅｆ又は前眼部Ｅａに合致するように調整される。
【００４１】
撮影光源１５から出力された光（撮影照明光）は、観察照明光と同様の経路を通って眼底Ｅｆに照射される。被検眼Ｅからの撮影照明光の戻り光は、観察照明光の戻り光と同じ経路を通ってダイクロイックミラー３３まで導かれ、ダイクロイックミラー３３を透過し、ミラー３６により反射され、集光レンズ３７によりイメージセンサ３８の受光面に結像される。
【００４２】
ＬＣＤ（Ｌｉｑｕｉｄ  Ｃｒｙｓｔａｌ  Ｄｉｓｐｌａｙ）３９は固視標や視力測定用視標を表示する。ＬＣＤ３９から出力された光束は、その一部がハーフミラー３３Ａにて反射され、ミラー３２に反射され、撮影合焦レンズ３１及びダイクロイックミラー５５を経由し、孔開きミラー２１の孔部を通過する。孔開きミラー２１の孔部を通過した光束は、ダイクロイックミラー４６を透過し、対物レンズ２２により屈折されて眼底Ｅｆに投射される。
【００４３】
ＬＣＤ３９の画面上における固視標の表示位置を変更することにより、被検眼Ｅの固視位置を変更できる。固視位置の例として、黄斑を中心とする画像を取得するための固視位置や、視神経乳頭を中心とする画像を取得するための固視位置や、黄斑と視神経乳頭との間の眼底中心を中心とする画像を取得するための固視位置や、黄斑から大きく離れた部位（眼底周辺部）の画像を取得するための固視位置などがある。いくつかの実施形態に係る眼科装置１は、このような固視位置の少なくとも１つを指定するためのＧＵＩ（Ｇｒａｐｈｉｃａｌ  Ｕｓｅｒ  Ｉｎｔｅｒｆａｃｅ）等を含む。いくつかの実施形態に係る眼科装置１は、固視位置（固視標の表示位置）をマニュアルで移動するためのＧＵＩ等を含む。
【００４４】
移動可能な固視標を被検眼Ｅに提示するための構成はＬＣＤ等の表示装置には限定されない。例えば、光源アレイ（発光ダイオード（ＬＥＤ）アレイ等）における複数の光源を選択的に点灯させることにより、移動可能な固視標を生成することができる。また、移動可能な１以上の光源により、移動可能な固視標を生成することができる。
【００４５】
また、眼科装置１には、１以上の外部固視光源が設けられてもよい。１以上の外部固視光源の１つは、被検眼Ｅの僚眼に固視光を投射することが可能である。僚眼における固視光の投射位置は、変更可能である。僚眼に対する固視光の投射位置を変更することにより、被検眼Ｅの固視位置を変更することができる。外部固視光源による固視位置は、ＬＣＤ３９を用いた被検眼Ｅの固視位置と同様であってよい。例えば、複数の外部固視光源を選択的に点灯させることにより、移動可能な固視標を生成することができる。また、移動可能な１以上の外部固視光源により、移動可能な固視標を生成することができる。
【００４６】
アライメント光学系５０は、被検眼Ｅに対する光学系のアライメントに用いられるアライメント指標を生成する。ＬＥＤ５１から出力されたアライメント光は、絞り５２及び５３並びにリレーレンズ５４を経由し、ダイクロイックミラー５５により反射され、孔開きミラー２１の孔部を通過する。孔開きミラー２１の孔部を通過した光は、ダイクロイックミラー４６を透過し、対物レンズ２２により被検眼Ｅに投射される。アライメント光の角膜反射光は、観察照明光の戻り光と同じ経路を通ってイメージセンサ３５に導かれる。その受光像（アライメント指標像）に基づいてマニュアルアライメントやオートアライメントを実行できる。
【００４７】
フォーカス光学系６０は、被検眼Ｅに対するフォーカス調整に用いられるスプリット指標を生成する。フォーカス光学系６０は、撮影光学系３０の光路（撮影光路）に沿った撮影合焦レンズ３１の移動に連動して、照明光学系１０の光路（照明光路）に沿って移動される。反射棒６７は、照明光路に対して挿脱可能である。フォーカス調整を行う際には、反射棒６７の反射面が照明光路に傾斜配置される。ＬＥＤ６１から出力されたフォーカス光は、リレーレンズ６２を通過し、スプリット指標板６３により２つの光束に分離され、二孔絞り６４を通過し、ミラー６５により反射され、集光レンズ６６により反射棒６７の反射面に一旦結像されて反射される。更に、フォーカス光は、リレーレンズ２０を経由し、孔開きミラー２１に反射され、ダイクロイックミラー４６を透過し、対物レンズ２２により屈折されて眼底Ｅｆに投射される。フォーカス光の眼底反射光は、アライメント光の角膜反射光と同じ経路を通ってイメージセンサ３５に導かれる。その受光像（スプリット指標像）に基づいてマニュアルフォーカスやオートフォーカスを実行できる。
【００４８】
ダイクロイックミラー４６は、眼底撮影用光路とＯＣＴ用光路とを合成する。ダイクロイックミラー４６は、ＯＣＴに用いられる波長帯の光を反射し、眼底撮影用の光を透過させる。ＯＣＴ用光路（測定光の光路）には、ＯＣＴユニット１００側からダイクロイックミラー４６側に向かって順に、コリメータレンズユニット４０、光路長変更部４１、光スキャナ４２、ＯＣＴ合焦レンズ４３、ミラー４４、及びリレーレンズ４５が設けられている。
【００４９】
光路長変更部４１は、図１に示す矢印の方向に移動可能とされ、ＯＣＴ用光路の長さを変更する。この光路長の変更は、眼軸長に応じた光路長補正や、干渉状態の調整などに利用される。光路長変更部４１は、コーナーキューブと、これを移動する機構とを含む。
【００５０】
光スキャナ４２は、被検眼Ｅの瞳孔と光学的に共役な位置に配置される。光スキャナ４２は、ＯＣＴ用光路を通過する測定光ＬＳを偏向する。光スキャナ４２は、測定光ＬＳを１次元的又は２次元的に偏向する。光スキャナ４２は、例えば、第１ガルバノミラーと、第２ガルバノミラーとを含む。第１ガルバノミラーは、ＯＣＴユニット１００に含まれる干渉光学系の光軸に直交する水平方向に撮影部位（眼底Ｅｆ又は前眼部）をスキャンするように測定光ＬＳを偏向する。第２ガルバノミラーは、ＯＣＴユニット１００に含まれる干渉光学系の光軸に直交する垂直方向に撮影部位をスキャンするように、第１ガルバノミラーにより偏向された測定光ＬＳを偏向する。このような光スキャナ４２による測定光ＬＳの走査態様としては、例えば、水平スキャン、垂直スキャン、十字スキャン、放射スキャン、円スキャン、同心円スキャン、螺旋スキャンなどがある。
【００５１】
ＯＣＴ合焦レンズ４３は、ＯＣＴ用の光学系のフォーカス調整を行うために、測定光ＬＳの光路に沿って移動される。ＯＣＴ合焦レンズ４３は、被検眼Ｅの眼底Ｅｆ又はその近傍に測定光ＬＳの焦点位置を配置するための第１レンズ位置と、被検眼Ｅに照射される測定光ＬＳを平行光束にするための第２レンズ位置とを含む移動範囲で移動可能である。撮影合焦レンズ３１の移動、フォーカス光学系６０の移動、及びＯＣＴ合焦レンズ４３の移動を連係的に制御することができる。
【００５２】
［ＯＣＴユニット］
図２及び図３に例示するように、ＯＣＴユニット１００には、スウェプトソースＯＣＴを実行するための光学系が設けられている。この光学系は、干渉光学系を含む。この干渉光学系は、波長掃引光源（波長可変光源）からの光を測定光と参照光とに分割する機能と、被検眼Ｅからの測定光の戻り光と参照光路を経由した参照光とを重ね合わせて干渉光を生成する機能と、この干渉光を検出する機能とを備える。干渉光学系により得られた干渉光の検出結果（検出信号）は、干渉光のスペクトルを示す信号であり、演算制御ユニット２００に送られる。
【００５３】
図３に例示するように、光源ユニット１０１は、変更可能な波長掃引速度で所定の波長範囲を掃引することにより得られた波長掃引光である光Ｌ０と、波長掃引光から生成されたクロックＫＣを出力する。このような光源ユニット１０１は、光源１４０と、光分岐器１４１、１４２と、複数のマッハ・ツェンダー干渉計（Ｍａｃｈ−Ｚｅｈｎｄｅｒ  Ｉｎｔｅｒｆｅｒｏｍｅｔｅｒ：ＭＺＩ）１４３と、光選択出力器１４４とを含む。光源ユニット１０１内の光学素子は、互いに光ファイバを介して光学的に接続される。
【００５４】
光源１４０は、変更可能な波長掃引速度で所定の波長範囲を掃引することにより出射光の中心波長が高速に変化する波長掃引光を出力する波長掃引光源である。光源１４０は、例えば、近赤外波長可変レーザを含む。
【００５５】
光分岐器１４１は、光源１４０から出射された波長掃引光を光Ｌ０と、クロック生成用の光とに分岐する。光分岐器１４１により分岐された光Ｌ０は、後述のように、光ファイバ１０２により偏波コントローラ１０３に導かれる。光分岐器１４１により分岐されたクロック生成用の光は、光ファイバにより光分岐器１４２に導かれる。光分岐器１４２は、クロック生成用の光を複数の分岐光（例えば、計測モード数分の分岐光）に分岐する。光分岐器１４２により分岐された複数の分岐光は、それぞれ光ファイバにより複数のＭＺＩ１４３のいずれかに導かれる。
【００５６】
ＭＺＩ１４３は、光分岐器１４２により分岐された分岐光を更に２つに分岐させ、互いに異なる光路を経由した２つの光路を合成することにより、互いにの光路の光路長差に対応した合成光を出力する。複数のＭＺＩ１４３は、波長掃引速度に対応して光路長差が互いに異なるように構成されている。光選択出力器１４４は、波長掃引速度に基づいて、複数のＭＺＩ１４３からの合成光を選択的にクロックＫＣとして出力する。
【００５７】
いくつかの実施形態では、複数のＭＺＩ１４３は、変更可能な計測速度数分（波長掃引速度数分）だけ設けられる。いくつかの実施形態では、複数のＭＺＩ１４３は、計測速度を変更することにより切り替えられる計測範囲数分だけ設けられる。この実施形態では、第１計測速度及び第２計測速度に対応した２つのＭＺＩ１４３が設けられる。
【００５８】
計測速度に応じて複数のＭＺＩ１４３において互いに光路長差が異なるように構成し、光選択出力器１４４により波長掃引速度に応じて選択的に合成光を出力するように構成することで、波長掃引速度の変化分がキャンセルされた合成光を出力することができる。それにより、光選択出力器１４４から出力されるクロックＫＣは、一定の周波数（周期）のクロックとして出力される。なお、クロックＫＣを一定の周波数を有するクロックとして出力できる限り、ＭＺＩ１４３の数は任意である。
【００５９】
図２に示すように、光源ユニット１０１から出力された光Ｌ０は、光ファイバ１０２により偏波コントローラ１０３に導かれてその偏光状態が調整される。偏光状態が調整された光Ｌ０は、光ファイバ１０４によりファイバカプラ１０５に導かれて測定光ＬＳと参照光ＬＲとに分割される。
【００６０】
参照光ＬＲは、光ファイバ１１０によりコリメータ１１１に導かれて平行光束に変換され、光路長補正部材１１２及び分散補償部材１１３を経由し、コーナーキューブ１１４に導かれる。光路長補正部材１１２は、参照光ＬＲの光路長と測定光ＬＳの光路長とを合わせるよう作用する。分散補償部材１１３は、参照光ＬＲと測定光ＬＳとの間の分散特性を合わせるよう作用する。コーナーキューブ１１４は、参照光ＬＲの入射方向に移動可能であり、それにより参照光ＬＲの光路長が変更される。
【００６１】
コーナーキューブ１１４を経由した参照光ＬＲは、分散補償部材１１３及び光路長補正部材１１２を経由し、コリメータ１１６によって平行光束から集束光束に変換され、光ファイバ１１７に入射する。光ファイバ１１７に入射した参照光ＬＲは、偏波コントローラ１１８に導かれてその偏光状態が調整され、光ファイバ１１９によりアッテネータ１２０に導かれて光量が調整され、光ファイバ１２１によりファイバカプラ１２２に導かれる。
【００６２】
一方、ファイバカプラ１０５により生成された測定光ＬＳは、光ファイバ１２７により導かれてコリメータレンズユニット４０により平行光束に変換され、光路長変更部４１、光スキャナ４２、ＯＣＴ合焦レンズ４３、ミラー４４及びリレーレンズ４５を経由する。リレーレンズ４５を経由した測定光ＬＳは、ダイクロイックミラー４６により反射され、対物レンズ２２により屈折されて被検眼Ｅに入射する。測定光ＬＳは、被検眼Ｅの様々な深さ位置において散乱・反射される。被検眼Ｅからの測定光ＬＳの戻り光は、往路と同じ経路を逆向きに進行してファイバカプラ１０５に導かれ、光ファイバ１２８を経由してファイバカプラ１２２に到達する。
【００６３】
ファイバカプラ１２２は、光ファイバ１２８を介して入射された測定光ＬＳと、光ファイバ１２１を介して入射された参照光ＬＲとを合成して（干渉させて）干渉光を生成する。ファイバカプラ１２２は、所定の分岐比（例えば１：１）で干渉光を分岐することにより、一対の干渉光ＬＣを生成する。一対の干渉光ＬＣは、それぞれ光ファイバ１２３及び１２４を通じて検出器１２５に導かれる。
【００６４】
検出器１２５は、例えばバランスドフォトダイオードである。バランスドフォトダイオードは、一対の干渉光ＬＣをそれぞれ検出する一対のフォトディテクタを含み、これらフォトディテクタにより得られた一対の検出結果の差分を出力する。検出器１２５は、この出力（検出信号）をＤＡＱ（Ｄａｔａ  Ａｃｑｕｉｓｉｔｉｏｎ  Ｓｙｓｔｅｍ）１３０に送る。
【００６５】
ＤＡＱ１３０には、光源ユニット１０１からクロックＫＣが供給される。クロックＫＣは、上記のように、光源ユニット１０１において、波長掃引速度が変更された場合でも略一定の周波数を有するクロックである。ＤＡＱ１３０は、検出器１２５から入力される検出信号に対し、クロックＫＣに同期してＡ／Ｄ変換を行い、Ａ／Ｄ変換結果を干渉信号としてサンプリングする。ＤＡＱ１３０は、サンプリングにより得られた干渉信号を演算制御ユニット２００に送る。
【００６６】
本例では、測定光ＬＳの光路（測定光路、測定アーム）の長さを変更するための光路長変更部４１と、参照光ＬＲの光路（参照光路、参照アーム）の長さを変更するためのコーナーキューブ１１４の双方が設けられている。しかしながら、光路長変更部４１とコーナーキューブ１１４のいずれか一方のみが設けられもよい。また、これら以外の光学部材を用いて、測定光路長と参照光路長との差を変更することも可能である。
【００６７】
［演算制御ユニット］
演算制御ユニット２００は、ＤＡＱ１３０から入力される検出信号を解析して眼底ＥｆのＯＣＴ画像を形成する。そのための演算処理は、従来のスウェプトソースタイプのＯＣＴ装置と同様である。
【００６８】
また、演算制御ユニット２００は、眼底カメラユニット２、表示装置３、及びＯＣＴユニット１００の各部を制御する。
【００６９】
眼底カメラユニット２の制御として、演算制御ユニット２００は、観察光源１１、撮影光源１５、及びＬＥＤ５１、６１の動作制御、ＬＣＤ３９の動作制御、撮影合焦レンズ３１の移動制御、ＯＣＴ合焦レンズ４３の移動制御、反射棒６７の移動制御、フォーカス光学系６０の移動制御、光路長変更部４１の移動制御、光スキャナ４２の動作制御などを行う。
【００７０】
ＯＣＴユニット１００の制御として、演算制御ユニット２００は、光源ユニット１０１の動作制御、偏波コントローラ１０３、１１８の動作制御、アッテネータ１２０の動作制御、検出器１２５の動作制御、ＤＡＱ１３０の動作制御などを行う。
【００７１】
演算制御ユニット２００は、例えば、従来のコンピュータと同様に、マイクロプロセッサ、ＲＡＭ、ＲＯＭ、ハードディスクドライブ、通信インターフェイスなどを含んで構成される。ハードディスクドライブ等の記憶装置には、眼科装置１を制御するためのコンピュータプログラムが記憶されている。演算制御ユニット２００は、各種の回路基板、例えばＯＣＴ画像を形成するための回路基板を備えていてもよい。また、演算制御ユニット２００は、キーボードやマウス等の操作デバイス（入力デバイス）や、ＬＣＤ等の表示デバイスを備えていてもよい。
【００７２】
眼底カメラユニット２、表示装置３、ＯＣＴユニット１００、及び演算制御ユニット２００は、一体的に（つまり単一の筺体内に）構成されていてもよいし、２つ以上の筐体に別れて構成されていてもよい。
【００７３】
〔制御系〕
図４及び図５に、眼科装置１の制御系の構成例を示す。図４及び図５において、眼科装置１に含まれる構成要素の一部が省略されている。図５は、図４のデータ処理部２３０の構成例のブロック図を表す。制御部２１０、画像形成部２２０及びデータ処理部２３０は、例えば、演算制御ユニット２００に設けられる。
【００７４】
（制御部）
制御部２１０は、各種の制御を実行する。制御部２１０は、主制御部２１１と記憶部２１２とを含む。
【００７５】
（主制御部）
主制御部２１１は、プロセッサを含み、眼科装置１の各部を制御する。例えば、主制御部２１１は、眼底カメラユニット２の光路長変更部４１、光スキャナ４２、撮影合焦レンズ３１（合焦駆動部３１Ａ）、及びフォーカス光学系６０、ＯＣＴ合焦レンズ４３（合焦駆動部４３Ａ）、イメージセンサ３５、３８、ＬＣＤ３９、光学系全体（移動機構１５０）などを制御する。さらに、主制御部２１１は、ＯＣＴユニット１００の光源ユニット１０１、コーナーキューブ１１４（参照駆動部１１４Ａ）、アッテネータ１２０、偏波コントローラ１０３、１１８、検出器１２５、ＤＡＱ１３０などを制御する。更に、主制御部２１１は、画像形成部２２０及びデータ処理部２３０を制御する。
【００７６】
例えば、主制御部２１１は、手動又は自動で設定された固視位置に対応するＬＣＤ３９の画面上の位置に固視標を表示する。また、主制御部２１１は、ＬＣＤ３９に表示されている固視標の表示位置を（連続的に又は段階的に）変更することができる。それにより、固視標を移動することができる（つまり、固視位置を変更することができる）。固視標の表示位置や移動態様は、マニュアルで又は自動的に設定される。マニュアルでの設定は、例えばＧＵＩを用いて行われる。自動的な設定は、例えば、データ処理部２３０により行われる。
【００７７】
合焦駆動部３１Ａは、撮影光学系３０の光軸方向に撮影合焦レンズ３１を移動させるとともに、照明光学系１０の光軸方向にフォーカス光学系６０を移動させる。それにより、撮影光学系３０の合焦位置が変更される。合焦駆動部３１Ａは、撮影合焦レンズ３１を移動させる機構と、フォーカス光学系６０を移動させる機構とを個別に有していてよい。合焦駆動部３１Ａは、フォーカス調整を行うときなどに制御される。
【００７８】
光スキャナ４２の制御には、第１ガルバノミラーによる走査位置、走査範囲又は走査速度の制御、第２ガルバノミラーによる走査位置、走査範囲又は走査速度の制御などがある。主制御部２１１は、ＯＣＴ計測の計測速度に応じて光スキャナ４２（第１ガルバノミラー及び第２ガルバノミラーの少なくとも一方）を制御することが可能である。いくつかの実施形態では、後述する記憶部２１２には、走査位置、走査範囲、走査速度、又は走査態様を表す走査情報が予め記憶され、主制御部２１１は、記憶部２１２に記憶された走査情報に基づいて被検眼Ｅの所望の部位を走査することが可能である。
【００７９】
また、主制御部２１１は、後述する操作部２４０Ｂを用いてユーザにより指定された部位を走査するように光スキャナ４２を制御することが可能である。また、主制御部２１１は、データ処理部２３０により特定された部位を走査するように光スキャナ４２を制御することが可能である。
【００８０】
合焦駆動部４３Ａは、測定光路の光軸方向にＯＣＴ合焦レンズ４３を移動させる。それにより、測定光ＬＳの合焦位置が変更される。例えば、ＯＣＴ合焦レンズ４３を第１レンズ位置に移動させることにより、測定光ＬＳの合焦位置を眼底Ｅｆ又はその近傍に配置することができる。例えば、ＯＣＴ合焦レンズ４３を第２レンズ位置に移動させることにより、測定光ＬＳの合焦位置を遠点位置に配置して測定光ＬＳを平行光束にすることができる。測定光ＬＳの合焦位置は、測定光ＬＳのビームウェストの深さ位置（ｚ位置）に相当する。
【００８１】
移動機構１５０は、例えば、少なくとも眼底カメラユニット２（光学系）を３次元的に移動する。典型的な例において、移動機構１５０は、少なくとも眼底カメラユニット２をｘ方向（左右方向）に移動するための機構と、ｙ方向（上下方向）に移動するための機構と、ｚ方向（奥行き方向、前後方向）に移動するための機構とを含む。ｘ方向に移動するための機構は、例えば、ｘ方向に移動可能なｘステージと、ｘステージを移動するｘ移動機構とを含む。ｙ方向に移動するための機構は、例えば、例えば、ｙ方向に移動可能なｙステージと、ｙステージを移動するｙ移動機構とを含む。ｚ方向に移動するための機構は、例えば、ｚ方向に移動可能なｚステージと、ｚステージを移動するｚ移動機構とを含む。各移動機構は、パルスモータ等のアクチュエータを含み、主制御部２１１からの制御を受けて動作する。
【００８２】
移動機構１５０に対する制御は、アライメントやトラッキングにおいて用いられる。トラッキングとは、被検眼Ｅの眼球運動に合わせて装置光学系を移動させるものである。トラッキングを行う場合には、事前にアライメントとフォーカス調整が実行される。トラッキングは、装置光学系の位置を眼球運動に追従させることにより、アライメントとピントが合った好適な位置関係を維持する機能である。いくつかの実施形態では、参照光の光路長（よって、測定光の光路と参照光の光路との間の光路長差）を変更するために移動機構１５０の制御を行うように構成される。
【００８３】
マニュアルアライメントの場合、光学系に対する被検眼Ｅの変位がキャンセルされるようにユーザが後述のユーザインターフェイス２４０に対して操作することにより光学系と被検眼Ｅとを相対移動させる。例えば、主制御部２１１は、ユーザインターフェイス２４０に対する操作内容に対応した制御信号を移動機構１５０に出力することにより移動機構１５０を制御して光学系と被検眼Ｅとを相対移動させる。
【００８４】
オートアライメントの場合、光学系に対する被検眼Ｅの変位がキャンセルされるように主制御部２１１が移動機構１５０を制御することにより光学系と被検眼Ｅとを相対移動させる。いくつかの実施形態では、主制御部２１１は、光学系の光軸が被検眼Ｅの軸に略一致し、かつ、被検眼Ｅに対する光学系の距離が所定の作動距離になるように制御信号を移動機構１５０に出力することにより移動機構１５０を制御して光学系と被検眼Ｅとを相対移動させる。ここで、作動距離とは、対物レンズ２２のワーキングディスタンスとも呼ばれる既定値であり、光学系を用いた測定時（撮影時）における被検眼Ｅと光学系との間の距離に相当する。
【００８５】
更に、主制御部２１１は、光源ユニット１０１における光源１４０に対して、波長掃引速度の変更制御を行うことが可能である。この場合、主制御部２１１は、波長掃引速度に応じて光スキャナ４２の走査速度を変更することが可能である。
【００８６】
主制御部２１１は、眼底カメラユニット２等を制御することにより眼底撮影及び前眼部撮影を制御する。また、主制御部２１１は、眼底カメラユニット２及びＯＣＴユニット１００等を制御することによりＯＣＴ計測を制御する。主制御部２１１は、ＯＣＴ計測を行う前に複数の予備的な動作を実行可能である。予備的な動作としては、アライメント、フォーカス粗調整、偏光調整、フォーカス微調整などがある。複数の予備的な動作は、所定の順序で実行される。いくつかの実施形態では、複数の予備的な動作は、上記の順序で実行される。
【００８７】
なお、予備的な動作の種別や順序はこれに限定されるものではなく、任意である。例えば、被検眼Ｅが小瞳孔眼であるか否か判定するための予備動作（小瞳孔判定）を予備的な動作に加えることができる。小瞳孔判定は、例えば、フォーカス粗調整と光路長差調整との間に実行される。いくつかの実施形態では、小瞳孔判定は、以下の一連の処理を含む：被検眼Ｅの正面画像（前眼部像）の取得する処理；瞳孔に相当する画像領域を特定する処理；特定された瞳孔領域のサイズ（径、周長など）を求める処理；求められたサイズに基づき小瞳孔眼か否か判定する処理（閾値処理）；小瞳孔眼であると判定された場合に絞り１９を制御する処理。いくつかの実施形態では、瞳孔サイズを求めるために瞳孔領域を円近似または楕円近似する処理を更に含む。
【００８８】
フォーカス粗調整は、スプリット指標を用いたフォーカス調整である。なお、あらかじめ取得された眼屈折力と撮影合焦レンズ３１の位置とを関連付けた情報と、被検眼Ｅの屈折力の測定値とに基づいて撮影合焦レンズ３１の位置を決定することにより、フォーカス粗調整を行うこともできる。
【００８９】
フォーカス微調整は、ＯＣＴ計測の干渉感度に基づいて行われる。例えば、被検眼ＥのＯＣＴ計測により取得された干渉信号の干渉強度（干渉感度）をモニタすることにより、干渉強度が最大となるようなＯＣＴ合焦レンズ４３の位置を求め、その位置にＯＣＴ合焦レンズ４３を移動させることにより、フォーカス微調整を実行することができる。
【００９０】
光路長差調整においては、被検眼Ｅにおける所定の位置が深さ方向の計測範囲の基準位置になるように制御される。この制御は、光路長変更部４１及び参照駆動部１１４Ａの少なくとも一方に対して行われる。それにより、測定光路と参照光路との間の光路長差が調整される。深さ方向の計測範囲の基準位置としては、眼底スキャンを行う場合の被検眼Ｅの強膜に対して第１距離だけ後方（対物レンズ２２から遠くなる方向）の位置（強膜後方位置）、前眼部スキャンを行う場合の被検眼Ｅの角膜に対して第２距離だけ前方（対物レンズ２２に近くなる方向）の位置などがある。光路長差調整により基準位置を設定しておくことで、波長掃引速度の変更を行うだけで深さ方向の所望の計測範囲に対して精度よくＯＣＴ計測を行うことができるようになる。
【００９１】
偏光調整においては、測定光ＬＳと参照光ＬＲとの干渉効率を最適化するために参照光ＬＲの偏光状態が調整される。
【００９２】
主制御部２１１は、表示制御部として、互いに計測速度が異なる複数のＯＣＴ計測により取得された複数のＯＣＴ計測結果に基づいて生成された複数の画像（ＯＣＴ画像）を表示部２４０Ａの同一画面に表示させることが可能である。この場合、主制御部２１１は、生成された複数の画像の位置合わせを行い、位置合わせが行われた複数の画像の少なくとも一部を重畳表示させることが可能である。また、主制御部２１１は、互いに異なる計測速度のＯＣＴ計測で取得された複数の画像を、計測速度に応じて識別可能に表示部２４０Ａに表示させることが可能である。それにより、どの部位（領域、位置）がどの計測速度で計測されたかを認識することができるようになる。
【００９３】
（記憶部）
記憶部２１２は、各種のデータを記憶する。記憶部２１２に記憶されるデータとしては、例えば、前述の走査情報、ＯＣＴ画像の画像データ、眼底像の画像データ、被検眼情報などがある。被検眼情報は、患者ＩＤや氏名などの被検者に関する情報や、左眼／右眼の識別情報などの被検眼に関する情報を含む。また、記憶部２１２には、眼科装置１を動作させるための各種プログラムやデータが記憶されている。
【００９４】
（画像形成部）
画像形成部２２０は、検出器１２５からの検出信号をＤＡＱ１３０でサンプリングすることにより得られたサンプリングデータに基づいて、被検眼ＥのＯＣＴ画像を形成する。画像形成部２２０により形成されるＯＣＴ画像には、Ａスキャン画像、Ｂスキャン画像（断層像）、Ｃスキャン画像などがある。この処理には、従来のスウェプトソースタイプのＯＣＴと同様に、ノイズ除去（ノイズ低減）、フィルタ処理、分散補償、ＦＦＴ（Ｆａｓｔ  Ｆｏｕｒｉｅｒ  Ｔｒａｎｓｆｏｒｍ）などの処理が含まれている。他のタイプのＯＣＴ装置の場合、画像形成部２２０は、そのタイプに応じた公知の処理を実行する。
【００９５】
画像形成部２２０は、例えば、前述の回路基板を含んで構成される。なお、この明細書では、「画像データ」と、それに基づく「画像」とを同一視することがある。
【００９６】
（データ処理部）
データ処理部２３０は、被検眼Ｅの撮影やＯＣＴ計測により取得されたデータを処理する。例えば、データ処理部２３０は、画像形成部２２０により形成された画像に対して各種の画像処理や解析処理を施す。例えば、データ処理部２３０は、画像の輝度補正等の各種補正処理を実行する。また、データ処理部２３０は、眼底カメラユニット２により得られた画像（眼底像、前眼部像等）に対して各種の画像処理や解析処理を施す。
【００９７】
データ処理部２３０は、断層像の間の画素を補間する補間処理などの公知の画像処理を実行して、眼底Ｅｆの３次元画像の画像データを形成する。なお、３次元画像の画像データとは、３次元座標系により画素の位置が定義された画像データを意味する。３次元画像の画像データとしては、３次元的に配列されたボクセルからなる画像データがある。この画像データは、ボリュームデータ或いはボクセルデータなどと呼ばれる。ボリュームデータに基づく画像を表示させる場合、データ処理部２３０は、このボリュームデータに対してレンダリング処理（ボリュームレンダリングやＭＩＰ（Ｍａｘｉｍｕｍ  Ｉｎｔｅｎｓｉｔｙ  Ｐｒｏｊｅｃｔｉｏｎ：最大値投影）など）を施して、特定の視線方向から見たときの擬似的な３次元画像の画像データを形成する。表示部２４０Ａ等の表示デバイスには、この擬似的な３次元画像が表示される。
【００９８】
また、３次元画像の画像データとして、複数の断層像のスタックデータを形成することも可能である。スタックデータは、複数のスキャンラインに沿って得られた複数の断層像を、スキャンラインの位置関係に基づいて３次元的に配列させることで得られる画像データである。すなわち、スタックデータは、元々個別の２次元座標系により定義されていた複数の断層像を、１つの３次元座標系により表現する（つまり１つの３次元空間に埋め込む）ことにより得られる画像データである。
【００９９】
データ処理部２３０は、取得された３次元データセット（ボリュームデータ、スタックデータ等）に各種のレンダリングを施すことで、任意断面におけるＢモード画像（縦断面像、軸方向断面像）、任意断面におけるＣモード画像（横断面像、水平断面像）、プロジェクション画像、シャドウグラムなどを形成することができる。Ｂモード画像やＣモード画像のような任意断面の画像は、指定された断面上の画素（ピクセル、ボクセル）を３次元データセットから選択することにより形成される。プロジェクション画像は、３次元データセットを所定方向（ｚ方向、深さ方向、軸方向）に投影することによって形成される。シャドウグラムは、３次元データセットの一部（たとえば特定層に相当する部分データ）を所定方向に投影することによって形成される。Ｃモード画像、プロジェクション画像、シャドウグラムのような、被検眼の正面側を視点とする画像を正面画像（ｅｎ−ｆａｃｅ画像）と呼ぶ。
【０１００】
データ処理部２３０は、ＯＣＴにより時系列に収集されたデータ（例えば、Ｂスキャン画像データ）に基づいて、網膜血管や脈絡膜血管が強調されたＢモード画像や正面画像（血管強調画像、アンギオグラム、ＯＣＴＡ像）を構築することができる。例えば、被検眼Ｅの略同一部位を反復的にスキャンすることにより、時系列のＯＣＴデータを収集することができる。
【０１０１】
いくつかの実施形態では、データ処理部２３０は、略同一部位に対するＢスキャンにより得られた時系列のＢスキャン画像を比較し、信号強度及び位相の少なくとも１つの変化部分の画素値を変化分に対応した画素値に変換することにより当該変化部分が強調された強調画像を構築する。更に、データ処理部２３０は、構築された複数の強調画像から所望の部位における所定の厚さ分の情報を抽出してｅｎ−ｆａｃｅ画像として構築することでＯＣＴＡ像を形成する。
【０１０２】
図５に示すように、データ処理部２３０は、判定部２３１と、モーションコントラスト生成部２３２と、ＯＣＴＡ像形成部２３３と、解析部２３４とを含む。
【０１０３】
判定部２３１は、ＯＣＴ計測により得られた干渉光の検出結果を解析してフォーカス微調整制御における測定光ＬＳのフォーカス状態を判定する。例えば、主制御部２１１は、合焦駆動部４３Ａを所定のアルゴリズムにしたがって制御しつつ、反復的なＯＣＴ計測を行う。判定部２３１は、ＯＣＴ計測により繰り返し取得される干渉光ＬＣの検出結果を解析することで、ＯＣＴ画像の画質に関する所定の評価値を算出する。判定部２３１は、算出された評価値が閾値以下であるか否か判定する。いくつかの実施形態では、フォーカス微調整は、算出される評価値が閾値以下になるまで継続される。すなわち、評価値が閾値以下であるとき測定光ＬＳのフォーカス状態が適正であると判断され、フォーカス微調整は、測定光ＬＳのフォーカス状態が適正であると判断されるまで継続される。
【０１０４】
いくつかの実施形態では、主制御部２１１は、上記のような反復的なＯＣＴ計測を行って干渉信号を取得しつつ、逐次に取得される干渉信号の強度（干渉強度、干渉感度）をモニタする。更に、このモニタ処理を行いながら、ＯＣＴ合焦レンズ４３を移動させることにより、干渉強度が最大となるようなＯＣＴ合焦レンズ４３の位置を探索する。このようなフォーカス微調整によれば、干渉強度が最適化されるような位置にＯＣＴ合焦レンズ４３を導くことができる。
【０１０５】
また、判定部２３１は、ＯＣＴ計測により得られた干渉光の検出結果を解析して、測定光ＬＳ及び参照光ＬＲの少なくとも一方の偏波状態を判定する。例えば、主制御部２１１は、偏波コントローラ１０３、１１８の少なくとも一方を所定のアルゴリズムにしたがって制御しつつ、反復的なＯＣＴ計測を行う。いくつかの実施形態では、主制御部２１１は、アッテネータ１２０を制御して、参照光ＬＲの減衰量を変更する。判定部２３１は、ＯＣＴ計測により繰り返し取得される干渉光ＬＣの検出結果を解析することで、ＯＣＴ画像の画質に関する所定の評価値を算出する。判定部２３１は、算出された評価値が閾値以下であるか否か判定する。この閾値はあらかじめ設定される。偏波調整は、算出される評価値が閾値以下になるまで継続される。すなわち、評価値が閾値以下であるとき測定光ＬＳの偏波状態が適正であると判断され、偏波調整は、測定光ＬＳの偏波状態が適正であると判断されるまで継続される。
【０１０６】
いくつかの実施形態では、主制御部２１１は、偏波調整においても干渉強度をモニタすることが可能である。
【０１０７】
モーションコントラスト生成部２３２は、被検眼Ｅの同一部位に対してＯＣＴ計測を繰り返し実行することにより得られた複数のＯＣＴ計測結果に基づいてモーションコントラストデータを生成する。モーションコントラストデータは、計測部位における複数のＯＣＴ計測結果間の時間的な変化を表すデータである。モーションコントラストデータには、例えば、計測部位における血流等の時間的な変化が表される。
【０１０８】
モーションコントラスト生成部２３２は、複数のＯＣＴ計測結果における振幅情報又は位相情報の変化に基づいてモーションコントラストデータを生成することが可能である。いくつかの実施形態では、モーションコントラスト生成部２３２は、複数のＯＣＴ計測結果における振幅情報及び位相情報の双方の変化に基づいてモーションコントラストデータを生成する。モーションコントラスト生成部２３２は、例えば非特許文献１（“Ｍｅｔｈｏｄｓ  ａｎｄ  ａｌｇｏｒｉｔｈｍｓ  ｆｏｒ  ｏｐｔｉｃａｌ  ｃｏｈｅｒｅｎｃｅ  ｔｏｍｏｇｒａｐｈｙ−ｂａｓｅｄ  ａｎｇｉｏｇｒａｐｈｙ：ａ  ｒｅｖｉｅｗ  ａｎｄ  ｃｏｍｐｒｉｓｏｎ”，  Ａｎｑｉ  Ｚｈａｎｇ  ｅｔ  ａｌ．）に開示されている手法を用いて、複数のＯＣＴ計測結果における振幅情報、位相情報、又は振幅情報及び位相情報の双方の変化に基づいてモーションコントラストデータを生成することが可能である。
【０１０９】
例えば、複数のＯＣＴ計測結果における振幅情報の変化に基づいてモーションコントラストデータを生成する場合、主制御部２１１は、各ＯＣＴ計測により得られたＯＣＴ計測結果から断層像を画像形成部２２０に形成させる。次に、主制御部２１１は、モーションコントラスト生成部２３２を制御することにより、画像形成部２２０により形成された複数の断層像間の位置合わせを行い、位置合わせが行われた複数の断層像間におけるモーションコントラストを特定することにより３次元のモーションコントラストデータを生成させる。
【０１１０】
モーションコントラスト生成部２３２は、第１データ生成部２３２Ａと、第２データ生成部２３２Ｂとを含む。
【０１１１】
第１データ生成部２３２Ａは、被検眼Ｅにおける所定の計測部位（第１計測部位）に対して第１計測速度でＯＣＴ計測を繰り返し実行することにより得られた複数のＯＣＴ計測結果に基づいて第１コントラストデータを生成する。所定の計測部位は、あらかじめ設定された部位、又は操作部２４０Ｂを用いてユーザにより事前に指定された部位である。例えば、第１データ生成部２３２Ａは、画像形成部２２０により複数のＯＣＴ結果に基づいて形成された複数の断層像間の位置合わせを行い、位置合わせが行われた複数の断層像間におけるモーションコントラストを特定することにより第１のモーションコントラストデータを生成する。
【０１１２】
第２データ生成部２３２Ｂは、第１モーションコントラストデータに基づいて指定された被検眼Ｅにおける再計測部位（第２計測部位）に対して第２計測速度でＯＣＴ計測を繰り返し実行することにより得られた複数のＯＣＴ計測結果に基づいて第２コントラストデータを生成する。再計測部位は、第１モーションコントラストデータに基づいて、再計測すべき部位として指定された部位である。いくつかの実施形態では、再計測部位は、第１モーションコントラストデータに基づいて形成された画像（例えば、後述のＯＣＴＡ像）を表示部２４０Ａに表示させ、表示された画像を参照しつつ医師等のユーザが操作部２４０Ｂを用いて指定した部位である。いくつかの実施形態では、再計測部位は、解析部２３４により第１モーションコントラストデータを解析することにより特定された部位である。例えば、第２データ生成部２３２Ｂは、第１データ生成部２３２Ａと同様に、画像形成部２２０により複数のＯＣＴ結果に基づいて形成された複数の断層像間の位置合わせを行い、位置合わせが行われた複数の断層像間におけるモーションコントラストを特定することにより第２のモーションコントラストデータを生成する。
【０１１３】
いくつかの実施形態では、第２計測速度は、第１計測速度より低速である。なお、図３の構成では、波長掃引速度を低速に変更しても深さ方向の計測範囲が広くなるため、第１計測速度のＯＣＴ計測で得られた断層像又はＯＣＴＡ像と、第２計測速度のＯＣＴ計測で得られた断層像又はＯＣＴＡ像との位置合わせや合成に支障がない。
【０１１４】
いくつかの実施形態では、再計測部位（第２計測部位）は、第１モーションコントラストデータを取得するために実行されたＯＣＴ計測部位（第１計測部位）の一部である。
【０１１５】
ＯＣＴＡ像形成部２３３は、モーションコントラスト生成部２３２により生成されたモーションコントラストデータに基づいてＯＣＴＡ像を形成する。ＯＣＴＡ像形成部２３３は、モーションコントラストデータのうち所定の深度範囲のモーションコントラストデータを所望の２次元平面に投影することでＯＣＴＡ像を形成する。ＯＣＴＡ像形成部２３３は、例えば、主制御部２１１により指定された深度範囲のモーションコントラストデータを所定の２次元平面に投影することでＯＣＴＡ像を形成する。深度範囲として、網膜浅層の血管を含む範囲、網膜深層の血管を含む範囲、網膜浅層と網膜深層との間の層の血管を含む範囲、網膜全体の血管を含む範囲などがある。例えば、眼底Ｅｆにおけるモーションコントラストデータから、血流が生じた位置を表す血管画像を形成することが可能である。
【０１１６】
解析部２３４は、ＯＣＴ計測により得られた干渉光の検出結果、又は当該検出結果に基づいて形成されたＯＣＴ画像に対して所定の解析処理を行う。所定の解析処理には、被検眼Ｅにおける所定の部位（組織、病変部）の特定；指定された部位間の距離（層間距離）、面積、角度、比率、密度の算出；指定された計算式による演算；所定の部位の形状の特定；これらの統計値の算出；計測値、統計値の分布の算出；これら解析処理結果に基づく画像処理などがある。所定の組織には、血管、視神経乳頭、中心窩、黄斑などがある。所定の病変部には、白斑、出血などがある。
【０１１７】
また、解析部２３４は、モーションコントラスト生成部２３２により生成されたモーションコントラストデータに基づいて、再計測すべき部位（位置、領域）を特定することが可能である。主制御部２１１は、解析部２３４により特定された部位を再計測部位（第２計測部位）として指定し、指定された再計測部位に対してＯＣＴの再計測を実行させる。
【０１１８】
いくつかの実施形態では、解析部２３４は、モーションコントラストデータに基づいて形成された画像を解析することにより再計測すべき部位を特定する。例えば、解析部２３４は、ＯＣＴＡ像形成部２３３によりモーションコントラストデータに基づいて形成されたＯＣＴＡ像を解析することにより再計測すべき部位を特定する。具体的には、解析部２３４は、形成されたＯＣＴＡ像において空間周波数が所定の閾値以下の領域に相当する部位を再計測すべき部位として特定する。
【０１１９】
いくつかの実施形態では、解析部２３４は、モーションコントラストデータに基づいて形成された強度画像と位相画像とに基づいて再計測すべき部位を特定する。この場合、ＯＣＴＡ像形成部２３３は、第１モーションコントラストデータの振幅情報に基づいて強度画像を形成すると共に、第１モーションコントラストデータの位相情報に基づいて位相画像を形成する。解析部２３４は、強度画像と位相画像との位置合わせを行い、位置合わせが行われた両画像を比較することにより再計測すべき部位を特定する。例えば、解析部２３４は、強度画像に描出されているが位相画像に描出されていない領域に相当する部位、強度画像に描出されていないが位相画像に描出されている領域に相当する部位、又は強度画像及び位相画像の双方に描出されていない領域に相当する部位を再計測すべき部位として特定する。
【０１２０】
いくつかの実施形態では、解析部２３４は、被検眼Ｅの正面画像を解析することにより再計測すべき部位を特定する。正面画像には、眼底カメラユニット２により取得された眼底像、Ｃモード画像（Ｃスキャン画像）、プロジェクション画像、シャドウグラム、フルオレセイン蛍光画像、インドシアニングリーン蛍光画像、自発蛍光画像などがある。いくつかの実施形態では、フルオレセイン蛍光画像、インドシアニングリーン蛍光画像、又は自発蛍光画像は、他の装置により別途に取得された画像である。
【０１２１】
以上のように機能するデータ処理部２３０は、例えば、前述のマイクロプロセッサ、ＲＡＭ、ＲＯＭ、ハードディスクドライブ、回路基板等を含んで構成される。ハードディスクドライブ等の記憶装置には、上記機能をマイクロプロセッサに実行させるコンピュータプログラムがあらかじめ格納されている。
【０１２２】
（ユーザインターフェイス）
ユーザインターフェイス２４０には、表示部２４０Ａと操作部２４０Ｂとが含まれる。表示部２４０Ａは、前述した演算制御ユニット２００の表示デバイスや表示装置３を含んで構成される。操作部２４０Ｂは、前述した演算制御ユニット２００の操作デバイスを含んで構成される。操作部２４０Ｂには、眼科装置１の筐体や外部に設けられた各種のボタンやキーが含まれていてもよい。例えば眼底カメラユニット２が従来の眼底カメラと同様の筺体を有する場合、操作部２４０Ｂは、この筺体に設けられたジョイスティックや操作パネル等を含んでいてもよい。また、表示部２４０Ａは、眼底カメラユニット２の筺体に設けられたタッチパネルなどの各種表示デバイスを含んでいてもよい。
【０１２３】
なお、表示部２４０Ａと操作部２４０Ｂは、それぞれ個別のデバイスとして構成される必要はない。例えばタッチパネルのように、表示機能と操作機能とが一体化されたデバイスを用いることも可能である。その場合、操作部２４０Ｂは、このタッチパネルとコンピュータプログラムとを含んで構成される。操作部２４０Ｂに対する操作内容は、電気信号として制御部２１０に入力される。また、表示部２４０Ａに表示されたグラフィカルユーザインターフェイス（ＧＵＩ）と、操作部２４０Ｂとを用いて、操作や情報入力を行うようにしてもよい。
【０１２４】
ＯＣＴユニット１００に含まれる光学系と制御部２１０とは、実施形態に係る「ＯＣＴ計測部」の一例である。制御部２１０（主制御部２１１）は、実施形態に係る「部位指定部」の一例である。制御部２１０（主制御部２１１）は、実施形態に係る「表示制御部」の一例である。
【０１２５】
［動作］
実施形態に係る眼科装置１の動作について説明する。
【０１２６】
（第１動作例）
第１動作例では、被検眼Ｅの眼底Ｅｆの所定の部位（第１計測部位）に対して第１計測速度でＯＣＴ計測を実行することにより得られた第１モーションコントラストデータに基づいてユーザにより操作部２４０Ｂを用いて再計測部位（第２計測部位）が指定される。再計測部位に対して第２計測速度でＯＣＴ計測を実行することにより第２モーションコントラストデータが生成される。
【０１２７】
図６に、実施形態に係る眼科装置１の第１動作例のフローチャートを示す。記憶部２１２には、図６に示す処理を実現するためのコンピュータプログラムが記憶されている。主制御部２１１は、このコンピュータプログラムに従って動作することにより、図６に示す処理を実行する。
【０１２８】
（Ｓ１：波長掃引速度を第１計測速度に設定）
主制御部２１１は、光源ユニット１０１の光源１４０に対し波長掃引速度を第１計測速度に設定する。それにより、光源１４０は、設定された波長掃引速度で所定の波長範囲掃引を開始することが可能である。
【０１２９】
（Ｓ２：アライメント）
主制御部２１１は、アライメントを実行する。すなわち、主制御部２１１は、アライメント光学系５０を制御して、被検眼Ｅにアライメント指標を投影させる。このとき、被検眼Ｅには、ＬＣＤ３９による固視標も投影される。主制御部２１１は、例えばイメージセンサ３５により取得された受光像に基づいて特定された光学系の移動量に基づいて移動機構１５０を制御し、被検眼Ｅに対して光学系を当該移動量だけ相対的に移動させる。主制御部２１１は、この処理を繰り返し実行させる。
【０１３０】
いくつかの実施形態では、ステップＳ２におけるアライメント完了前に、上記のアライメント粗調整及びアライメント微調整が行われる。
【０１３１】
（Ｓ３：調整用断層像を取得）
続いて、主制御部２１１は、ＯＣＴユニット１００を制御してＯＣＴ仮計測を実行させ、深さ方向の基準位置を調整するための調整用断層像を取得させる。具体的には、主制御部２１１は、光スキャナ４２を制御することにより、光源ユニット１０１から出射された光Ｌ０に基づいて生成された測定光ＬＳを偏向し、偏向された測定光ＬＳで被検眼Ｅの所定部位（例えば眼底）をスキャンさせる。測定光ＬＳのスキャンにより得られた干渉光の検出結果は、クロックＫＣに同期してサンプリングされた後、画像形成部２２０に送られる。画像形成部２２０は、得られた干渉信号から被検眼Ｅの断層像（ＯＣＴ画像）を形成する。
【０１３２】
（Ｓ４：深さ方向の基準位置を調整）
続いて、主制御部２１１は、深さ方向（ｚ方向）の計測範囲の基準位置を調整する。具体的には、主制御部２１１は、ステップＳ３において得られた断層像における所定の部位（例えば、強膜）を解析部２３４に特定させ、特定された所定の部位の位置に対して深さ方向に所定の距離だけ離れた位置を計測範囲の基準位置として設定する。
【０１３３】
（Ｓ５：フォーカス調整、偏波調整）
次に、主制御部２１１は、フォーカス調整制御及び偏波調整制御を実行する。
【０１３４】
例えば、主制御部２１１は、合焦駆動部４３Ａを制御してＯＣＴ合焦レンズ４３を所定の距離だけ移動させた後、ＯＣＴユニット１００を制御してＯＣＴ計測を実行させる。主制御部２１１は、上記のように、ＯＣＴ計測により得られた干渉光の検出結果に基づいて測定光ＬＳのフォーカス状態を判定部２３１に判定させる。判定部２３１による判定結果に基づいて測定光ＬＳのフォーカス状態が適正ではないと判断されたとき、主制御部２１１は、再び合焦駆動部４３Ａの制御を行い、フォーカス状態が適正であると判断されるまで繰り返す。
【０１３５】
また、例えば、主制御部２１１は、偏波コントローラ１０３、１１８の少なくとも一方を制御して光Ｌ０及び測定光ＬＳの少なくとも一方の偏波状態を所定の量だけ変更した後、ＯＣＴユニット１００を制御してＯＣＴ計測を実行させ、取得された干渉光の検出結果に基づくＯＣＴ画像を画像形成部２２０に形成させる。主制御部２１１は、上記のように、ＯＣＴ計測により得られたＯＣＴ画像の画質を判定部２３１に判定させる。判定部２３１による判定結果に基づいて測定光ＬＳの偏波状態が適正ではないと判断されたとき、主制御部２１１は、再び偏波コントローラ１０３、１１８の制御を行い、偏波状態が適正であると判断されるまで繰り返す。
【０１３６】
（Ｓ６：干渉信号を取得）
続いて、主制御部２１１は、ＯＣＴユニット１００を制御して、あらかじめ設定された被検眼Ｅの眼底Ｅｆにおける所定の部位に対してＯＣＴ計測を繰り返し実行させる。各ＯＣＴ計測により取得された干渉光の検出結果は、その都度、ＤＡＱ１３０においてサンプリングされ、干渉信号として記憶部２１２等に保存される。
【０１３７】
（Ｓ７：ＯＣＴＡ像を形成）
主制御部２１１は、ステップＳ６において取得された干渉信号に基づいて断層像を画像形成部２２０に形成させる。主制御部２１１は、所定の部位に対してＯＣＴ計測が実行される毎に断層像を画像形成部２２０に形成させる。それにより、所定の部位に対して第１計測速度で繰り返し実行される複数のＯＣＴ計測に対応して複数の断層像が形成される。
【０１３８】
続いて、主制御部２１１は、第１データ生成部２３２Ａを制御することにより、得られた複数の断層像間の位置合わせを行い、位置合わせが行われた複数の断層像間におけるモーションコントラストを特定することにより第１のモーションコントラストデータを生成させる。更に、主制御部２１１は、ＯＣＴＡ像形成部２３３を制御することにより、あらかじめ設定された深度範囲の第１モーションコントラストデータを所定の２次元平面に投影することでＯＣＴＡ像を形成させる。
【０１３９】
（Ｓ８：表示）
主制御部２１１は、ステップＳ７において形成されたＯＣＴＡ像を表示部２４０Ａに表示させる。
【０１４０】
（Ｓ９：再計測部位を指定）
次に、主制御部２１１は、操作部２４０Ｂを用いてユーザによる再計測部位の指定を受け付ける。ユーザは、表示部２４０Ａに表示されたＯＣＴＡ像に対して再計測部位を指定することができる。例えば、主制御部２１１は、解析部２３４を制御することにより、ＯＣＴＡ像における各画素の座標位置から操作部２４０Ｂを用いて指定された再計測部位の位置を特定させ、特定された位置から眼底Ｅｆにおける走査位置を特定することが可能である。
【０１４１】
（Ｓ１０：波長掃引速度を第２計測速度に設定）
主制御部２１１は、ステップＳ１と同様に、光源ユニット１０１の光源１４０に対し波長掃引速度を第２計測速度に設定する。第２計測速度は、第１計測速度より低速である。それにより、光源１４０は、設定された波長掃引速度で所定の波長範囲掃引を開始することができる。光源ユニット１０１の光選択出力器１４４は設定された波長掃引速度に対応したＭＺＩ１４３からの合成光を選択出力するため、クロックＫＣの周波数は変化しない。
【０１４２】
（Ｓ１１：アライメント）
主制御部２１１は、ステップＳ２と同様にアライメントを実行する。
【０１４３】
（Ｓ１２：調整用断層像を取得）
続いて、主制御部２１１は、ステップＳ３と同様に、ＯＣＴユニット１００を制御してＯＣＴ仮計測を実行させ、深さ方向の基準位置を調整するための調整用断層像を取得させる。
【０１４４】
（Ｓ１３：深さ方向の基準位置を調整）
続いて、主制御部２１１は、ステップＳ４と同様に、深さ方向（ｚ方向）の計測範囲の基準位置を調整する。
【０１４５】
（Ｓ１４：フォーカス調整、偏波調整）
次に、主制御部２１１は、ステップＳ５と同様に、フォーカス調整制御及び偏波調整制御を実行する。
【０１４６】
（Ｓ１５：干渉信号を取得）
続いて、主制御部２１１は、ステップＳ６と同様に、ＯＣＴユニット１００を制御して、ステップＳ９において指定された再計測部位に対してＯＣＴ計測を繰り返し実行させる。各ＯＣＴ計測により取得された干渉光の検出結果は、その都度、ＤＡＱ１３０においてサンプリングされ、干渉信号として記憶部２１２等に保存される。
【０１４７】
（Ｓ１６：ＯＣＴＡ像を形成）
主制御部２１１は、ステップＳ７と同様に、ステップＳ１５において取得された干渉信号に基づいて断層像を画像形成部２２０に形成させる。主制御部２１１は、再計測部位に対してＯＣＴ計測が実行される毎に断層像を画像形成部２２０に形成させる。それにより、再計測部位に対して第２計測速度で繰り返し実行される複数のＯＣＴ計測に対応して複数の断層像が形成される。
【０１４８】
続いて、主制御部２１１は、第２データ生成部２３２Ｂを制御することにより、得られた複数の断層像間の位置合わせを行い、位置合わせが行われた複数の断層像間におけるモーションコントラストを特定することにより第２のモーションコントラストデータを生成させる。更に、主制御部２１１は、ＯＣＴＡ像形成部２３３を制御することにより、あらかじめ設定された深度範囲の第２モーションコントラストデータを所定の２次元平面に投影することでＯＣＴＡ像を形成させる。
【０１４９】
（Ｓ１７：表示）
主制御部２１１は、ステップＳ１６において形成されたＯＣＴＡ像を表示部２４０Ａに表示させる。主制御部２１１は、ステップＳ８において表示されたＯＣＴＡ像に重畳するように、ステップＳ１６において形成されたＯＣＴＡ像を表示させることが可能である。
【０１５０】
図７に、ステップＳ１６において表示されるＯＣＴＡ像を模式的に示す。図７は、ステップＳ７において形成されたＯＣＴＡ像ＩＭＧ１に、ステップＳ１６において形成されたＯＣＴＡ像ＩＭＧ２を重畳表示した場合を模式的に表したものである。
【０１５１】
例えば、主制御部２１１は、ステップＳ８において表示されたＯＣＴＡ像ＩＭＧ１において、ステップＳ９において指定された再計測部位に対応する位置を特定し、特定された位置にステップＳ１６において形成されたＯＣＴＡ像ＩＭＧ２を表示させる。
【０１５２】
以上で、眼科装置１の動作は終了である（エンド）。
【０１５３】
（第２動作例）
第２動作例では、被検眼Ｅの眼底Ｅｆの所定の部位に対して第１計測速度でＯＣＴ計測を実行することにより得られた第１モーションコントラストデータに基づいて解析部２３４により再計測部位が指定される。再計測部位に対して第２計測速度でＯＣＴ計測を実行することにより第２モーションコントラストデータが生成される。
【０１５４】
図８に、実施形態に係る眼科装置１の第２動作例のフローチャートを示す。記憶部２１２には、図８に示す処理を実現するためのコンピュータプログラムが記憶されている。主制御部２１１は、このコンピュータプログラムに従って動作することにより、図８に示す処理を実行する。
【０１５５】
（Ｓ２１：波長掃引速度を第１計測速度に設定）
主制御部２１１は、ステップＳ１と同様に、光源ユニット１０１の光源１４０に対し波長掃引速度を第１計測速度に設定する。
【０１５６】
（Ｓ２２：アライメント）
主制御部２１１は、ステップＳ２と同様に、アライメントを実行する。
【０１５７】
（Ｓ２３：調整用断層像を取得）
続いて、主制御部２１１は、ステップＳ３と同様に、ＯＣＴユニット１００を制御してＯＣＴ仮計測を実行させ、深さ方向の基準位置を調整するための調整用断層像を取得させる。
【０１５８】
（Ｓ２４：深さ方向の基準位置を調整）
続いて、主制御部２１１は、ステップＳ４と同様に、深さ方向（ｚ方向）の計測範囲の基準位置を調整する。
【０１５９】
（Ｓ２５：フォーカス調整、偏波調整）
次に、主制御部２１１は、ステップＳ５と同様に、フォーカス調整制御及び偏波調整制御を実行する。
【０１６０】
（Ｓ２６：干渉信号を取得）
続いて、主制御部２１１は、ステップＳ６と同様に、ＯＣＴユニット１００を制御して、あらかじめ設定された被検眼Ｅの眼底Ｅｆにおける所定の部位に対してＯＣＴ計測を繰り返し実行させる。
【０１６１】
（Ｓ２７：ＯＣＴＡ像を形成）
主制御部２１１は、ステップＳ７と同様に、ステップＳ２６において取得された干渉信号に基づいて断層像を画像形成部２２０に形成させる。それにより、所定の部位に対して第１計測速度で繰り返し実行される複数のＯＣＴ計測に対応して複数の断層像が形成される。
【０１６２】
続いて、主制御部２１１は、第１データ生成部２３２Ａを制御することにより、得られた複数の断層像間の位置合わせを行い、位置合わせが行われた複数の断層像間におけるモーションコントラストを特定することにより第１のモーションコントラストデータを生成する。更に、主制御部２１１は、ＯＣＴＡ像形成部２３３を制御することにより、あらかじめ設定された深度範囲の第１モーションコントラストデータを所定の２次元平面に投影することでＯＣＴＡ像を形成させる。
【０１６３】
（Ｓ２８：解析）
主制御部２１１は、ステップＳ２７において形成されたＯＣＴＡ像を解析することにより再計測すべき部位を解析部２３４に特定させる。解析部２３４は、上記のように信号処理又は画像処理によって再計測すべき部位を特定する。いくつかの実施形態では、主制御部２１１は、ステップＳ２７において生成されたモーションコントラストデータを解析することにより再計測すべき部位を解析部２３４に特定させる。
【０１６４】
（Ｓ２９：再計測部位を指定）
次に、主制御部２１１は、ステップＳ２７において形成されたＯＣＴＡ像における各画素の座標位置から解析部２３４により特定された再計測部位の位置を特定し、特定された位置から眼底Ｅｆにおける走査位置を特定する。
【０１６５】
（Ｓ３０：波長掃引速度を第２計測速度に設定）
主制御部２１１は、ステップＳ１０と同様に、光源ユニット１０１の光源１４０に対し波長掃引速度を第２計測速度に設定する。第２計測速度は、第１計測速度より低速である。
【０１６６】
（Ｓ３１：アライメント）
主制御部２１１は、ステップＳ１１と同様にアライメントを実行する。
【０１６７】
（Ｓ３２：調整用断層像を取得）
続いて、主制御部２１１は、ステップＳ１２と同様に、ＯＣＴユニット１００を制御してＯＣＴ仮計測を実行させ、深さ方向の基準位置を調整するための調整用断層像を取得させる。
【０１６８】
（Ｓ３３：深さ方向の基準位置を調整）
続いて、主制御部２１１は、ステップＳ１３と同様に、深さ方向（ｚ方向）の計測範囲の基準位置を調整する。
【０１６９】
（Ｓ３４：フォーカス調整、偏波調整）
次に、主制御部２１１は、ステップＳ１４と同様に、フォーカス調整制御及び偏波調整制御を実行する。
【０１７０】
（Ｓ３５：干渉信号を取得）
続いて、主制御部２１１は、ステップＳ１５と同様に、ＯＣＴユニット１００を制御して、ステップＳ２９において指定された再計測部位に対してＯＣＴ計測を繰り返し実行させる。各ＯＣＴ計測により取得された干渉光の検出結果は、その都度、ＤＡＱ１３０においてサンプリングされ、干渉信号として記憶部２１２等に保存される。
【０１７１】
（Ｓ３６：ＯＣＴＡ像を形成）
主制御部２１１は、ステップＳ１６と同様に、ステップＳ３５において取得された干渉信号に基づいて断層像を画像形成部２２０に形成させる。主制御部２１１は、再計測部位に対してＯＣＴ計測が実行される毎に断層像を画像形成部２２０に形成させる。それにより、再計測部位に対して第２計測速度で繰り返し実行される複数のＯＣＴ計測に対応して複数の断層像が形成される。
【０１７２】
続いて、主制御部２１１は、第２データ生成部２３２Ｂを制御することにより、得られた複数の断層像間の位置合わせを行い、位置合わせが行われた複数の断層像間におけるモーションコントラストを特定することにより第２のモーションコントラストデータを生成させる。更に、主制御部２１１は、ＯＣＴＡ像形成部２３３を制御することにより、あらかじめ設定された深度範囲の第２モーションコントラストデータを所定の２次元平面に投影することでＯＣＴＡ像を形成させる。
【０１７３】
（Ｓ３７：表示）
主制御部２１１は、ステップＳ１７と同様に、ステップＳ３６において形成されたＯＣＴＡ像を表示部２４０Ａに表示させる。主制御部２１１は、図７に示すように、ステップＳ２７において形成されたＯＣＴＡ像に重畳するように、ステップＳ３６において形成されたＯＣＴＡ像を表示させることが可能である。
【０１７４】
以上で、眼科装置１の動作は終了である（エンド）。
【０１７５】
なお、上記の実施形態では、スウェプトソースタイプのＯＣＴにおいて波長掃引光源の波長掃引速度を変更することにより計測速度を変更する場合について説明したが、実施形態に係る構成はこれに限定されるものではない。
【０１７６】
例えば、上記の実施形態を、スペクトラルドメインタイプのＯＣＴに適用することが可能である。この場合、ＯＣＴユニット１００は、広帯域光源と、干渉光学系と、分光器とを有する。広帯域光源は、広帯域光を出力する。広帯域光源としては、例えば、スーパールミネッセントダイオード（ＳＬＤ）が用いられる。干渉光学系は、広帯域光源から出力された光を測定光と参照光とに分割し、測定光を被検眼Ｅ照射し、被検眼Ｅからの測定光の戻り光と参照光との干渉光を分光器により検出する。分光器は、干渉光学系により生成された干渉光をスペクトル分解し、そのスペクトル分布を検出してアナログ信号を生成する。分光器は、干渉光をスペクトル分解する光学素子（たとえば回折格子）と、スペクトル分解された干渉光を検出する光電変換素子（たとえばラインセンサー）とを含む。分光器の露光時間、及び分光器の検出結果のデータ転送速度の少なくとも一方を変更することにより、計測速度（Ａスキャン速度）を変更することが可能である。
【０１７７】
［効果］
実施形態に係る眼科装置、及びその制御方法について説明する。
【０１７８】
いくつかの実施形態に係る眼科装置（１）は、ＯＣＴ計測部（ＯＣＴユニット１００に含まれる光学系と制御部２１０）と、第１データ生成部（２３２Ａ）と、部位指定部（制御部２１０、主制御部２１１）と、第２データ生成部（２３２Ｂ）と、を含む。ＯＣＴ計測部は、変更可能な計測速度で被検眼（Ｅ）の同一部位に対してＯＣＴ計測を繰り返し実行する。第１データ生成部は、被検眼の第１計測部位に対してＯＣＴ計測部により第１計測速度でＯＣＴ計測を繰り返すことにより得られた複数の計測結果に基づいて第１モーションコントラストデータを生成する。部位指定部は、第１モーションコントラストデータに基づいて被検眼の第２計測部位を指定するために用いられる。第２データ生成部は、部位指定部により指定された第２計測部位に対してＯＣＴ計測部により第２計測速度でＯＣＴ計測を繰り返すことにより得られた複数の計測結果に基づいて第２モーションコントラストデータを生成する。
【０１７９】
このような構成によれば、被検眼の第１計測部位に対して第１計測速度でＯＣＴ計測を実行して第１モーションコントラストデータを取得し、取得された第１モーションコントラストデータに基づいて指定された第２計測部位を指定し、指定された第２計測部位に対して第２計測速度でＯＣＴ計測を実行して第２モーションコントラストデータを取得することができる。それにより、第１モーションコントラストデータでは検出できない血管等の部位を第２モーションコントラストデータにより検出することができるようになる。その結果、計測速度を向上した場合でもＯＣＴＡの検出感度の低下を防止することが可能になる。
【０１８０】
いくつかの実施形態に係る眼科装置は、操作部（２４０Ｂ）を含み、部位指定部は、操作部を用いて指定された部位を第２計測部位として指定する。
【０１８１】
このような構成によれば、操作部を用いて第２計測部位を指定するようにしたので、第１計測速度で検出できなかった注目領域を第２計測速度で再度ＯＣＴ計測を行って当該注目領域の形態等を確認することが可能になる。
【０１８２】
いくつかの実施形態に係る眼科装置は、被検眼の正面画像を解析することにより再計測すべき部位を特定する解析部（２３４）を含み、部位指定部は、解析部により特定された部位を第２計測部位として指定する。
【０１８３】
このような構成によれば、解析部により被検眼の正面画像を解析して第２計測部位を特定するようにしたので、第１計測速度で検出できなかった注目領域を第２計測速度で再度ＯＣＴ計測を行って当該注目領域の形態等を確認することが可能になる。
【０１８４】
いくつかの実施形態に係る眼科装置は、第１モーションコントラストデータを解析することにより再計測すべき部位を特定する解析部（２３４）を含み、部位指定部は、解析部により特定された部位を第２計測部位として指定する。
【０１８５】
このような構成によれば、解析部により第１モーションコントラストデータに基づいて第２計測部位を特定するようにしたので、第１計測速度で検出できなかった注目領域を第２計測速度で再度ＯＣＴ計測を行って当該注目領域の形態等を確認することが可能になる。
【０１８６】
いくつかの実施形態に係る眼科装置は、第１モーションコントラストデータに基づいて第１ＯＣＴＡ像を形成するＯＣＴＡ像形成部（２３３）を含み、解析部は、第１ＯＣＴＡ像において空間周波数が所定の閾値以下の領域に相当する部位を再計測すべき部位として特定する。
【０１８７】
このような構成によれば、第１モーションコントラストデータに基づいて形成されたＯＣＴＡ像において、第１計測速度で検出できなかった注目領域を第２計測速度で再度ＯＣＴ計測を行って当該注目領域の形態等を確認することが可能になる。
【０１８８】
いくつかの実施形態に係る眼科装置では、ＯＣＴＡ像形成部は、第１モーションコントラストデータの振幅情報に基づいて強度画像を形成すると共に、第１モーションコントラストデータの位相情報に基づいて位相画像を形成し、解析部は、強度画像及び位相画像に基づいて再計測すべき部位を特定する。
【０１８９】
このような構成によれば、第１モーションコントラストデータに強度画像及び位相画像を形成し、これらに基づいて再計測すべき部位を第２計測部位として指定するようにしたので、第１計測速度で検出できなかった注目領域を第２計測速度で再度ＯＣＴ計測を行って当該注目領域の形態等を確認することが可能になる。
【０１９０】
いくつかの実施形態に係る眼科装置は、第１モーションコントラストデータに基づいて第１ＯＣＴＡ像を形成し、第２モーションコントラストデータに基づいて第２ＯＣＴＡ像を形成するＯＣＴＡ像形成部（２３３）と、第１ＯＣＴＡ像と第２ＯＣＴＡ像とを表示手段の同一画面に表示させる表示制御部（制御部２１０、主制御部２１１）と、を含む。
【０１９１】
このような構成によれば、計測速度が異なる第１ＯＣＴＡ像及び第２ＯＣＴＡ像を表示手段の同一画面に表示させるようにしたので、計測速度の差異に起因した注目領域の形態の差異等を確認することが可能になる。
【０１９２】
いくつかの実施形態に係る眼科装置では、ＯＣＴ計測部は、波長掃引速度が変更可能な波長掃引光源（光源１４０）からの光（Ｌ０）を測定光（ＬＳ）と参照光（ＬＲ）とに分割し、被検眼に測定光を照射し、被検眼からの測定光の戻り光と参照光との干渉光（ＬＣ）を検出する干渉光学系を含み、波長掃引速度を変更することによりＯＣＴ計測の計測速度を変更する制御部（２１０、主制御部２１１）を含む。
【０１９３】
このような構成によれば、スウェプトソースタイプのＯＣＴＡにおいて波長掃引光源の波長掃引速度を変更するようにしたので、計測速度を向上した場合でもＯＣＴＡの検出感度の低下を容易に防止することができるようになる。
【０１９４】
いくつかの実施形態に係る眼科装置では、第２計測部位は、第１計測部位の一部の部位である。
【０１９５】
このような構成によれば、第１計測部位中の注目領域を計測するようにしたので、第１計測速度で検出できなかった注目領域を第２計測速度で再度ＯＣＴ計測を行って当該注目領域の形態等を確認することが可能になる。
【０１９６】
いくつかの実施形態に係る眼科装置では、第２計測速度は、第１計測速度より低速である。
【０１９７】
このような構成によれば、より低速な計測速度で注目領域を計測するようにしたので、計測速度を向上した場合でもＯＣＴＡの検出感度の低下を容易に防止することができるようになる。
【０１９８】
いくつかの実施形態に係る眼科装置（１）の制御方法は、第１計測ステップと、第１データ生成ステップと、部位指定ステップと、第２計測ステップと、第２データ生成ステップと、を含む。第１計測ステップは、被検眼（Ｅ）の第１計測部位に対して第１計測速度でＯＣＴ計測を繰り返し実行する。第１データ生成ステップは、第１計測ステップにおいて取得された複数の計測結果に基づいて第１モーションコントラストデータを生成する。部位指定ステップは、第１データ生成ステップにおいて生成された第１モーションコントラストデータに基づいて被検眼の第２計測部位を指定するために実行される。第２計測ステップは、部位指定ステップにおいて指定された第２計測部位に対して第２計測速度でＯＣＴ計測を繰り返し実行する。第２データ生成ステップは、第２計測ステップにおいて取得された複数の計測結果に基づいて第２モーションコントラストデータを生成する。
【０１９９】
このような制御によれば、被検眼の第１計測部位に対して第１計測速度でＯＣＴ計測を実行して第１モーションコントラストデータを取得し、取得された第１モーションコントラストデータに基づいて指定された第２計測部位を指定し、指定された第２計測部位に対して第２計測速度でＯＣＴ計測を実行して第２モーションコントラストデータを取得することができる。それにより、第１モーションコントラストデータでは検出できない血管等の部位を第２モーションコントラストデータにより検出することができるようになる。その結果、計測速度を向上した場合でもＯＣＴＡの検出感度の低下を防止することが可能になる。
【０２００】
いくつかの実施形態に係る眼科装置の制御方法では、部位指定ステップは、操作部（２４０Ｂ）を用いて指定された部位を第２計測部位として指定する。
【０２０１】
このような制御によれば、操作部を用いて第２計測部位を指定するようにしたので、第１計測速度で検出できなかった注目領域を第２計測速度で再度ＯＣＴ計測を行って当該注目領域の形態等を確認することが可能になる。
【０２０２】
いくつかの実施形態に係る眼科装置の制御方法は、被検眼の正面画像を解析することにより再計測すべき部位を特定する解析ステップを含み、部位指定ステップは、解析ステップにおいて特定された部位を第２計測部位として指定する。
【０２０３】
このような制御によれば、解析ステップにおいて被検眼の正面画像を解析して第２計測部位を特定するようにしたので、第１計測速度で検出できなかった注目領域を第２計測速度で再度ＯＣＴ計測を行って当該注目領域の形態等を確認することが可能になる。
【０２０４】
いくつかの実施形態に係る眼科装置の制御方法は、第１モーションコントラストデータを解析することにより再計測すべき部位を特定する解析ステップを含み、部位指定ステップは、解析ステップにおいて特定された部位を第２計測部位として指定する。
【０２０５】
このような制御によれば、解析ステップにおいて第１モーションコントラストデータに基づいて第２計測部位を特定するようにしたので、第１計測速度で検出できなかった注目領域を第２計測速度で再度ＯＣＴ計測を行って当該注目領域の形態等を確認することが可能になる。
【０２０６】
いくつかの実施形態に係る眼科装置の制御方法は、第１モーションコントラストデータに基づいて第１ＯＣＴＡ像を形成するＯＣＴＡ像形成ステップを含み、解析ステップは、第１ＯＣＴＡ像において空間周波数が所定の閾値以下の領域に相当する部位を再計測すべき部位として特定する。
【０２０７】
このような制御によれば、第１モーションコントラストデータに基づいて形成されたＯＣＴＡ像において、第１計測速度で検出できなかった注目領域を第２計測速度で再度ＯＣＴ計測を行って当該注目領域の形態等を確認することが可能になる。
【０２０８】
いくつかの実施形態に係る眼科装置の制御方法では、ＯＣＴＡ像形成ステップは、第１モーションコントラストデータの振幅情報に基づいて強度画像を形成すると共に、第１モーションコントラストデータの位相情報に基づいて位相画像を形成し、解析ステップは、強度画像及び位相画像に基づいて再計測すべき部位を特定する。
【０２０９】
このような制御によれば、第１モーションコントラストデータに強度画像及び位相画像を形成し、これらに基づいて再計測すべき部位を第２計測部位として指定するようにしたので、第１計測速度で検出できなかった注目領域を第２計測速度で再度ＯＣＴ計測を行って当該注目領域の形態等を確認することが可能になる。
【０２１０】
いくつかの実施形態に係る眼科装置の制御方法は、第１モーションコントラストデータに基づいて第１ＯＣＴＡ像を形成し、第２モーションコントラストデータに基づいて第２ＯＣＴＡ像を形成するＯＣＴＡ像形成ステップと、第１ＯＣＴＡ像と第２ＯＣＴＡ像とを表示手段（表示部２４０Ａ）の同一画面に表示させる表示制御ステップと、を含む。
【０２１１】
このような制御によれば、計測速度が異なる第１ＯＣＴＡ像及び第２ＯＣＴＡ像を表示手段の同一画面に表示させるようにしたので、計測速度の差異に起因した注目領域の形態の差異等を確認することが可能になる。
【０２１２】
いくつかの実施形態に係る眼科装置の制御方法では、第１計測ステップ及び第２計測ステップは、波長掃引速度が変更可能な波長掃引光源（光源１４０）からの光（Ｌ０）を測定光（ＬＳ）と参照光（ＬＲ）とに分割し、被検眼に測定光を照射し、被検眼からの測定光の戻り光と参照光との干渉光（ＬＣ）を検出し、第２計測ステップは、波長掃引速度を変更することによりＯＣＴ計測の計測速度を変更する。
【０２１３】
このような制御によれば、スウェプトソースタイプのＯＣＴＡにおいて波長掃引光源の波長掃引速度を変更するようにしたので、計測速度を向上した場合でもＯＣＴＡの検出感度の低下を容易に防止することができるようになる。
【０２１４】
上記の実施形態では、クロックＫＣを用いて波数空間における干渉光の検出結果を時間空間における干渉光の検出結果に変換する場合（すなわち、ｋクロックを用いたｋ較正法）について説明したが、実施形態に係る眼科装置１の構成はこれに限定されるものではない。例えば、ｋ較正用のＭＺＩの干渉信号を、ＯＣＴ計測により得られた干渉信号と同時に取得し、データ処理部２３０により公知のｋ較正処理を施すことにより波数空間の干渉信号を時間空間の干渉信号に変換してもよい。
【０２１５】
上記の実施形態を実現するためのコンピュータプログラムを、コンピュータによって読み取り可能な任意の記録媒体に記憶させることができる。この記録媒体としては、例えば、半導体メモリ、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などを用いることが可能である。
【０２１６】
また、インターネットやＬＡＮ等のネットワークを通じてこのプログラムを送受信することも可能である。
【符号の説明】
【０２１７】
１  眼科装置
２  眼底カメラユニット
１０  照明光学系
３０  撮影光学系
４２  光スキャナ
５０  アライメント光学系
６０  フォーカス光学系
１００  ＯＣＴユニット
１０１  光源ユニット
１４０  光源
２００  演算制御ユニット
２１０  制御部
２１１  主制御部
２１２  記憶部
２２０  画像形成部
２３０  データ処理部
２３１  判定部
２３２  モーションコントラスト生成部
２３２Ａ  第１データ生成部
２３２Ｂ  第２データ生成部
２３３  ＯＣＴＡ像形成部
２３４  解析部
２４０Ａ  表示部
２４０Ｂ  操作部
Ｅ  被検眼
ＬＳ  測定光
ＬＲ  参照光
ＬＣ  干渉光
【図１】
2020039560.tif 000003
【図２】
2020039560.tif 000004
【図３】
2020039560.tif 000005
【図４】
2020039560.tif 000006
【図５】
2020039560.tif 000007
【図６】
2020039560.tif 000008
【図７】
2020039560.tif 000009
【図８】
2020039560.tif 000010